(57)【要約】【課題】光演出効果を高める光伝送体から照射される光を制御する方法を提案し、遊技の興趣性が向上した弾球遊技機およびスロットマシンを提供することである。【解決手段】光伝送体の両端部に色の異なる光をそれぞれ供給し、光伝送体の一端部から光を供給する発光源の光量を他端部から光を供給する発光源の光量と比較し相対的に変化させることにより光伝送体の同一色による占有率を変化させ、かかる占有率が所定占有率を満たしたときに光伝送体の両端部の供給する光の色を切替える制御を行ない回転光演出を実行する。【選択図】　　　　図１０
2004041362.tif 000002
【特許請求の範囲】
【請求項１】
遊技盤の前面に形成された遊技領域に遊技球を発射して遊技が行なわれる弾球遊技機であって、
光を供給するための発光源と、
第１の端部と第２の端部を有し、一方の端部から供給された光を他方の端部まで伝送する光伝送体とを複数備えており、
前記光伝送体の外周面は、長手方向に沿って帯状に広がる受光した光の進行方向を変更するための光路変更部が形成された第１の領域と光路変更部が形成されない第２の領域とから構成されており、
前記第１の領域と前記第２の領域とで前記外周面の全周を取り囲んでおり、
前記複数の光伝送体は、それぞれ円弧形状となるように形成され、かつ、一方の光伝送体の第１の端部と他方の光伝送体の第２の端部とを近設または隣接させて環状に配置されており、
前記光伝送体の第１の端部に光を供給する第１の発光源と当該光伝送体の第２の端部に光を供給する第２の発光源とは異なる発光色を供給でき、かつ、近設または隣接する光伝送体の一方の光伝送体の第１の端部に光を供給する第１の発光源と他方の光伝送体の第２の端部に光を供給する第２の発光源とは同一の発光色を供給できるとともに、
前記複数の光伝送体のそれぞれにおける前記第１の発光源と前記第２の発光源の光量を変化させる光量変化手段がさらに備えられており、
前記光量変化手段は、
前記近設または隣接する一方の光伝送体の第１の端部に光を供給する第１の発光源の光量を当該光伝送体の第２の端部に光を供給する第２の発光源の光量と比較し相対的に減少させる光量減少制御と、
該光伝送体の第１の端部に近設または隣接する他方の光伝送体の第２の端部に光を供給する第２の発光源の光量を当該光伝送体の第１の端部に光を供給する第１の発光源の光量と比較し相対的に増加させる光量増加制御とを同期させて行なうことを特徴とする、弾球遊技機。
【請求項２】
遊技盤の前面に形成された遊技領域に遊技球を発射して遊技が行なわれる弾球遊技機であって、
光を供給するための発光源と、
第１の端部と第２の端部を有し、一方の端部から供給された光を他方の端部まで伝送する光伝送体とを複数備えており、
前記第１の端部に光を供給する第１の発光源と、
前記第２の端部に光を供給する第２の発光源とを備えており、
前記光伝送体の外周面は、長手方向に沿って帯状に広がる受光した光の進行方向を変更するための光路変更部が形成された第１の領域と光路変更部が形成されない第２の領域とから構成されており、
前記第１の領域と前記第２の領域とで前記外周面の全周を取り囲んでおり、
前記複数の光伝送体のそれぞれは、半円形状となるように形成され、かつ、一方の光伝送体の第１の端部を他方の光伝送体の第２の端部に近設または隣接させ、かつ、一方の光伝送体の第２の端部を他方の光伝送体の第１の端部に近設または隣接させることにより円状となるよう配置されており、
前記第１の発光源と前記第２の発光源とは異なる発光色を供給でき、かつ、近設または隣接する一方の光伝送体の第１の端部に光を供給する第１の発光源と他方の光伝送体の第２の端部に光を供給する第２の発光源とは同一の発光色を供給できるとともに、
前記複数の光伝送体のそれぞれにおける前記第１の発光源と前記第２の発光源の光量を制御する光量制御手段がさらに備えられており、
前記光量制御手段は、
前記第１の発光源を発光させて、前記光伝送体の第１の端部から当該光伝送体の第２の端部までの間における前記第１の発光源からの発光色の占める割合が所定占有率となる状態まで光量を増加させる第１発光源光量増加制御と、
前記第１発光源光量増加制御による前記第１の発光源からの発光色の占める割合が前記所定占有率となった後、前記第１の発光源からの前記発光色による発光を停止すると同時に、該停止した発光色と同じ発光色を前記第２の発光源から発光させる状態に切替える発光色切替制御とを行なうことを特徴とする、弾球遊技機。
【請求項３】
前記複数の光伝送体のそれぞれの第１の端部と第２の端部に設けられた複数の発光源は、それぞれ、少なくとも２色以上の光を供給することができることを特徴とする、請求項１または請求項２に記載の弾球遊技機。
【請求項４】
前記複数の光伝送体のそれぞれの第１の端部の端面と第２の端部の端面は、弾球遊技機の裏側方向に向けられていることを特徴とする、請求項１から請求項３のいずれかに記載の弾球遊技機。
【請求項５】
遊技盤の前面に形成された遊技領域に遊技球を発射して遊技が行なわれる弾球遊技機であって、
第１の端部と第２の端部を有し、一方の端部から供給された光を他方の端部まで伝送する光伝送体と、
前記第１の端部に光を供給する第１の発光源と、
前記第１の発光源の発光色とは異なる発光色を有し前記第２の端部に光を供給する第２の発光源とを備えており、
前記光伝送体の外周面は、長手方向に沿って帯状に広がる受光した光の進行方向を変更するための光路変更部が形成された第１の領域と光路変更部が形成されない第２の領域とから構成されており、
前記第１の領域と前記第２の領域とで前記外周面の全周を取り囲んでおり、
前記光伝送体は、渦巻き形状または螺旋形状となるように形成されており、
前記第１の発光源と前記第２の発光源の光量を変化させる光量変化手段がさらに備えられており、
前記光量変化手段は、
前記第１の発光源の光量を徐々に増加させ、かつ、前記第２の発光源の光量を徐々に減少させることにより、前記光伝送体の第１の端部から第２の端部までの間における第１の発光源の発光色が占める割合である占有率を徐々に変化させ回転光演出を実行する回転光演出実行制御を行なうことを特徴とする、弾球遊技機。
【請求項６】
１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンであって、
光を供給するための発光源と、
第１の端部と第２の端部を有し、一方の端部から供給された光を他方の端部まで伝送する光伝送体とを複数備えており、
前記光伝送体の外周面は、長手方向に沿って帯状に広がる受光した光の進行方向を変更するための光路変更部が形成された第１の領域と光路変更部が形成されない第２の領域とから構成されており、
前記第１の領域と前記第２の領域とで前記外周面の全周を取り囲んでおり、
前記複数の光伝送体は、それぞれ円弧形状となるように形成され、かつ、一方の光伝送体の第１の端部と他方の光伝送体の第２の端部とを近設または隣接させて環状に配置されており、
前記光伝送体の第１の端部に光を供給する第１の発光源と当該光伝送体の第２の端部に光を供給する第２の発光源とは異なる発光色を供給でき、かつ、近設または隣接する光伝送体の一方の光伝送体の第１の端部に光を供給する第１の発光源と他方の光伝送体の第２の端部に光を供給する第２の発光源とは同一の発光色を供給できるとともに、
前記複数の光伝送体のそれぞれにおける前記第１の発光源と前記第２の発光源の光量を変化させる光量変化手段がさらに備えられており、
前記光量変化手段は、
前記近設または隣接する一方の光伝送体の第１の端部に光を供給する第１の発光源の光量を当該光伝送体の第２の端部に光を供給する第２の発光源の光量と比較し相対的に減少させる光量減少制御と、
該光伝送体の第１の端部に近設または隣接する他方の光伝送体の第２の端部に光を供給する第２の発光源の光量を当該光伝送体の第１の端部に光を供給する第１の発光源の光量と比較し相対的に増加させる光量増加制御とを同期させて行なうことを特徴とする、スロットマシン。
【請求項７】
１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンであって、
光を供給するための発光源と、
第１の端部と第２の端部を有し、一方の端部から供給された光を他方の端部まで伝送する光伝送体とを複数備えており、
前記第１の端部に光を供給する第１の発光源と、
前記第２の端部に光を供給する第２の発光源とを備えており、
前記光伝送体の外周面は、長手方向に沿って帯状に広がる受光した光の進行方向を変更するための光路変更部が形成された第１の領域と光路変更部が形成されない第２の領域とから構成されており、
前記第１の領域と前記第２の領域とで前記外周面の全周を取り囲んでおり、
前記複数の光伝送体のそれぞれは、半円形状となるように形成され、かつ、一方の光伝送体の第１の端部を他方の光伝送体の第２の端部に近設または隣接させ、かつ、一方の光伝送体の第２の端部を他方の光伝送体の第１の端部に近設または隣接させることにより円状となるよう配置されており、
前記第１の発光源と前記第２の発光源とは異なる発光色を供給でき、かつ、近設または隣接する一方の光伝送体の第１の端部に光を供給する第１の発光源と他方の光伝送体の第２の端部に光を供給する第２の発光源とは同一の発光色を供給できるとともに、
前記複数の光伝送体のそれぞれにおける前記第１の発光源と前記第２の発光源の光量を制御する光量制御手段がさらに備えられており、
前記光量制御手段は、
前記第１の発光源を発光させて、前記光伝送体の第１の端部から当該光伝送体の第２の端部までの間における前記第１の発光源からの発光色の占める割合が所定占有率となる状態まで光量を増加させる第１発光源光量増加制御と、
前記第１発光源光量増加制御による前記第１の発光源からの発光色の占める割合が前記所定占有率となった後、前記第１の発光源からの前記発光色による発光を停止すると同時に、該停止した発光色と同じ発光色を前記第２の発光源から発光させる状態に切替える発光色切替制御とを行なうことを特徴とする、スロットマシン。
【請求項８】
１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンであって、
第１の端部と第２の端部を有し、一方の端部から供給された光を他方の端部まで伝送する光伝送体と、
前記第１の端部に光を供給する第１の発光源と、
前記第１の発光源の発光色とは異なる発光色を有し前記第２の端部に光を供給する第２の発光源とを備えており、
前記光伝送体の外周面は、長手方向に沿って帯状に広がる受光した光の進行方向を変更するための光路変更部が形成された第１の領域と光路変更部が形成されない第２の領域とから構成されており、
前記第１の領域と前記第２の領域とで前記外周面の全周を取り囲んでおり、
前記光伝送体は、渦巻き形状または螺旋形状となるように形成されており、
前記第１の発光源と前記第２の発光源の光量を変化させる光量変化手段がさらに備えられており、
前記光量変化手段は、
前記第１の発光源の光量を徐々に増加させ、かつ、前記第２の発光源の光量を徐々に減少させることにより、前記光伝送体の第１の端部から第２の端部までの間における第１の発光源の発光色が占める割合である占有率を徐々に変化させ回転光演出を実行する回転光演出実行制御を行なうことを特徴とする、スロットマシン。
【発明の詳細な説明】
【０００１】
【発明の属する技術分野】
本発明は、パチンコ遊技機などで代表される弾球遊技機およびスロットマシンに関する。詳しくは、遊技盤の前面に形成された遊技領域に遊技球を発射して遊技が行なわれる弾球遊技機、および、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンに関する。
【０００２】
【従来の技術】
この種の弾球遊技機およびスロットマシンとして従来から一般的に知られているものに、たとえば、パチンコ遊技機のような、遊技盤の前面に形成された遊技領域に遊技球を発射して遊技が行なわれるものや、スロットマシンのような、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なものがある。
【０００３】
このような弾球遊技機またはスロットマシンにおいて、遊技の進行状況に応じて光を発し、演出を盛り上げるものとして、線状または棒状に発光する光伝送体を用いたものがあり、広い範囲において発光させることにより意匠性を高めようとするものがあった。また、光伝送体が取付けられている弾球遊技機およびスロットマシンにおけるものではないが、光伝送体に切欠を設けて光伝送体内を伝送している光を分散させ、光伝送体の側周面から高輝度に発光させるものがあった。さらに、周知技術として、ランプやＬＥＤを円弧状に並べて配置し、広範囲に光を照射し光演出を盛り上げようとするものがある。
【０００４】
【発明が解決しようとする課題】
しかしながら、上記のような弾球遊技機およびスロットマシンにおいては、光演出を行なうにあたり光伝送ロッドを用いているため、広い範囲にわたり光を照射することができるものの、光の照射を制御し光演出効果を高めることまで考慮されていなかった。
【０００５】
また、ランプやＬＥＤ等の比較的狭い範囲にしか照射できない発光源を複数円弧状に並べて配置させ光演出を行なったときには、並べて配置されている発光源と発光源との間に光の境目が生じるため、光演出効果を高めることができず、遊技の興趣を向上させることができなかった。
【０００６】
この発明は上述の問題に鑑みてなされたものであって、その目的は、光演出効果を高める光伝送体から照射される光を制御する方法を提案し、遊技の興趣性が向上した弾球遊技機およびスロットマシンを提供することである。
【０００７】
【課題を解決するための手段の具体例およびその効果】
（１）　遊技盤（遊技盤１０６）の前面に形成された遊技領域（遊技領域１０７）に遊技球（パチンコ球）を発射して遊技が行なわれる弾球遊技機（パチンコ遊技機１０１）であって、
光を供給するための発光源（発光源ＬＥＤ３，赤ＬＥＤ，緑ＬＥＤ，フルカラーＬＥＤ等）と、
第１の端部（一端部１’）と第２の端部（他端部１”）を有し、一方の端部から供給された光を他方の端部まで伝送する光伝送体（光伝送ロッド１）とを複数備えており、
前記光伝送体の外周面は、長手方向（外周面を構成する母線の延びる方向）に沿って帯状（たとえば、母線と母線によって囲まれる領域）に広がる受光した光の進行方向を変更するための光路変更部（加工面５’）が形成された第１の領域と光路変更部が形成されない第２の領域とから構成されており、
前記第１の領域と前記第２の領域とで前記外周面の全周を取り囲んでおり（図３等参照）、
前記複数の光伝送体は、それぞれ円弧形状となるように形成され（図９の光伝送ロッド６１，６２等）、かつ、一方の光伝送体（たとえば、光伝送ロッド６１）の第１の端部（一端部６１’）と他方の光伝送体（たとえば、光伝送ロッド６２）の第２の端部（他端部６２”）とを近設または隣接させて環状に配置されており（図９等参照）、
前記光伝送体（たとえば、光伝送ロッド６１）の第１の端部（一端部６１’）に光を供給する第１の発光源（フルカラーＬＥＤ６３ａ）と当該光伝送体の第２の端部（他端部６１”）に光を供給する第２の発光源（フルカラーＬＥＤ６３ｂ）とは異なる発光色を供給でき（たとえば、緑色と赤色等）、かつ、近設または隣接する光伝送体の一方の光伝送体（たとえば、光伝送ロッド６２）の第１の端部（一端部６２’）に光を供給する第１の発光源（フルカラーＬＥＤ６３ｃ）と他方の光伝送体の第２の端部に光を供給する第２の発光源（フルカラーＬＥＤ６３ｂ）とは同一の発光色を供給できる（たとえば、緑色と赤色）とともに、
前記複数の光伝送体のそれぞれにおける前記第１の発光源と前記第２の発光源の光量を変化させる光量変化手段（遊技制御手段１３１，ランプ制御基板１３５等）がさらに備えられており、
前記光量変化手段は、
前記近設または隣接する一方の光伝送体の第１の端部に光を供給する第１の発光源の光量を当該光伝送体の第２の端部に光を供給する第２の発光源の光量と比較し相対的に減少させる光量減少制御（図１０のフルカラーＬＥＤ６３ｂ，６３ｄの光量減少）と、
該光伝送体の第１の端部に近設または隣接する他方の光伝送体の第２の端部に光を供給する第２の発光源の光量を当該光伝送体の第１の端部に光を供給する第１の発光源の光量と比較し相対的に増加させる光量増加制御（図１０のフルカラーＬＥＤ６３ａ，６３ｃの光量増加）とを同期させて行なう。
【０００８】
上述のような構成によれば、近設または隣接する複数の光伝送体にわたって色が回転するような従来にない見た目に新しい光演出を実行することができ、遊技の興趣を向上させることができる。さらに、光伝送体の長手方向に帯状に延びる第１の領域に、光の進行方向を変更させる光路変更部が形成されているため、遊技者側に非加工外周面を向けて配置させるか、加工外周面を向けて配置させるかにより、強い光を遊技者に向けて放射させ遊技者にインパクトのある光演出を提供し強い印象を持たせるか、または、直接的に遊技者側に放射される光量を低減し従来にない間接照明的な光演出を実現させることによる効果を顕著に発揮させることができる。
【０００９】
（２）　遊技盤（遊技盤１０６）の前面に形成された遊技領域（遊技領域１０７）に遊技球（パチンコ球）を発射して遊技が行なわれる弾球遊技機（パチンコ遊技機１０１）であって、
光を供給するための発光源（発光源ＬＥＤ３，赤ＬＥＤ，緑ＬＥＤ，フルカラーＬＥＤ等）と、
第１の端部（端部１’）と第２の端部（他端部１”）を有し、一方の端部から供給された光を他方の端部まで伝送する光伝送体（光伝送ロッド１）とを複数備えており、
前記第１の端部に光を供給する第１の発光源（発光源ＬＥＤ３，フルカラーＬＥＤ６３ａ等）と、
前記第２の端部に光を供給する第２の発光源（発光源ＬＥＤ３，フルカラーＬＥＤ６３ｂ等）とを備えており、
前記光伝送体の外周面は、長手方向（外周面を構成する母線の延びる方向）に沿って帯状（たとえば、母線と母線によって囲まれる領域）に広がる受光した光の進行方向を変更するための光路変更部（加工面５’）が形成された第１の領域と光路変更部が形成されない第２の領域とから構成されており、
前記第１の領域と前記第２の領域とで前記外周面の全周を取り囲んでおり（図３等参照）、
前記複数の光伝送体のそれぞれは、半円形状となるように形成され（図９の光伝送ロッド６１，６２等）、かつ、一方の光伝送体（たとえば、光伝送ロッド６１）の第１の端部（一端部６１’）を他方の光伝送体（光伝送ロッド６２）の第２の端部（他端部６２”）に近設または隣接させ、かつ、一方の光伝送体の第２の端部（他端部６１”）を他方の光伝送体の第１の端部（一端部６２’）に近設または隣接させることにより円状となるよう配置されており（図９等参照）、
前記第１の発光源と前記第２の発光源とは異なる発光色を供給でき（たとえば、緑色と赤色等）、かつ、近設または隣接する一方の光伝送体の第１の端部に光を供給する第１の発光源と他方の光伝送体の第２の端部に光を供給する第２の発光源とは同一の発光色を供給できる（たとえば、緑色と赤色等）とともに、
前記複数の光伝送体のそれぞれにおける前記第１の発光源と前記第２の発光源の光量を制御する光量制御手段（遊技制御手段１３１，ランプ制御基板１３５等）がさらに備えられており、
前記光量制御手段は、
前記第１の発光源を発光させて、前記光伝送体の第１の端部から当該光伝送体の第２の端部までの間における前記第１の発光源からの発光色（たとえば、赤色）の占める割合が所定占有率（たとえば、１００パーセントまたは５０パーセント等、予め設定した割合）となる状態まで光量を増加させる第１発光源光量増加制御（たとえば，図１０（ｂ）から（ｄ），（ｅ）から（ａ）等）と、
前記第１発光源光量増加制御による前記第１の発光源からの発光色の占める割合が前記所定占有率となった後、前記第１の発光源からの前記発光色による発光を停止すると同時に、該停止した発光色（たとえば、赤色）と同じ発光色を前記第２の発光源から発光させる状態に切替える発光色切替制御（たとえば、図１０（ａ）から（ｂ），（ｄ）から（ｅ）等）とを行なう。
【００１０】
上述のような構成によれば、色が回転するような従来にない見た目に新しい光演出を実行することができ、遊技の興趣を向上させることができる。さらに、光伝送体の長手方向に帯状に延びる第１の領域に、光の進行方向を変更させる光路変更部が形成されているため、遊技者側に非加工外周面を向けて配置させるか、加工外周面を向けて配置させるかにより、強い光を遊技者に向けて放射させ遊技者にインパクトのある光演出を提供し強い印象を持たせるか、または、直接的に遊技者側に放射される光量を低減し従来にない間接照明的な光演出を実現させることによる効果を顕著に発揮させることができる。
【００１１】
（３）　前記複数の光伝送体のそれぞれの第１の端部と第２の端部に設けられた複数の発光源（発光源ＬＥＤ３，赤ＬＥＤ，緑ＬＥＤ，フルカラーＬＥＤ等）は、それぞれ、少なくとも２色以上の光を供給することができる。
【００１２】
上述のような構成によれば、発光源は少なくとも２以上の光を供給することができることにより、複数の色を回転させる回転光演出を実行することができ、遊技の興趣を向上させることができる。
【００１３】
（４）　前記複数の光伝送体のそれぞれの第１の端部の端面と第２の端部の端面（たとえば、光伝送ロッド６１の一端部６１’の面）は、弾球遊技機の裏側方向（奥行き方向）に向けられている。
【００１４】
上述のような構成によれば、発光源からの光を供給する光伝送体のそれぞれの端部の端面は、弾球遊技機の裏側に向けられている。これにより、端部に光を供給する発光源を弾球遊技機の裏側とすることもできるとともに、複数の光伝送体の近設または隣接する隙間を最小限に小さくすることができ、回転光演出を遊技者に視認し易くすることができ、遊技の興趣を向上させることができる。
【００１５】
（５）　遊技盤（遊技盤１０６）の前面に形成された遊技領域（遊技領域１０７）に遊技球（パチンコ球）を発射して遊技が行なわれる弾球遊技機（パチンコ遊技機１０１）であって、
第１の端部（一端部１’）と第２の端部（他端部１”）を有し、一方の端部から供給された光を他方の端部まで伝送する光伝送体（光伝送ロッド１）と、
前記第１の端部に光を供給する第１の発光源（フルカラーＬＥＤ７２ａ）と、前記第１の発光源の発光色（たとえば、赤色）とは異なる発光色（たとえば、緑色）を有し前記第２の端部に光を供給する第２の発光源（フルカラーＬＥＤ７２ｂ）とを備えており、
前記光伝送体の外周面は、長手方向（外周面を構成する母線の延びる方向）に沿って帯状（たとえば、母線と母線によって囲まれる領域）に広がる受光した光の進行方向を変更するための光路変更部（加工面５’）が形成された第１の領域と光路変更部が形成されない第２の領域とから構成されており、
前記第１の領域と前記第２の領域とで前記外周面の全周を取り囲んでおり（図３等参照）、
前記光伝送体は、渦巻き形状または螺旋形状となるように形成されており（たとえば、光伝送ロッド７１，光伝送ロッド８１等参照）、
前記第１の発光源と前記第２の発光源の光量を変化させる光量変化手段（遊技制御手段１３１，ランプ制御基板１３５等）がさらに備えられており、
前記光量変化手段は、
前記第１の発光源の光量を徐々に増加させ、かつ、前記第２の発光源の光量を徐々に減少させることにより、前記光伝送体の第１の端部から第２の端部までの間における第１の発光源の発光色が占める割合である占有率を徐々に変化させ回転光演出を実行する回転光演出実行制御（図８，図１５等参照）を行なう。
【００１６】
上述のような構成によれば、色が回転するような従来にない見た目に新しい光演出を実行することができ、遊技の興趣を向上させることができる。さらに、光伝送体の長手方向に帯状に延びる第１の領域に、光の進行方向を変更させる光路変更部が形成されているため、遊技者側に非加工外周面を向けて配置させるか、加工外周面を向けて配置させるかにより、強い光を遊技者に向けて放射させ遊技者にインパクトのある光演出を提供し強い印象を持たせるか、または、直接的に遊技者側に放射される光量を低減し従来にない間接照明的な光演出を実現させることによる効果を顕著に発揮させることができる。
【００１７】
（６）　１ゲームに対して賭数を設定（たとえば、メダル，パチンコ球等を投入しセット）することによりゲームが開始可能となるとともに、表示状態を変化（たとえば、リールに付された図柄のスクロール）させることが可能な可変表示装置の表示結果（たとえば、停止図柄）が導出表示されることにより１ゲームが終了し、該可変表示装置の表示結果に応じて所定の入賞（たとえば、ビッグボーナス入賞、小役入賞）が発生可能なスロットマシン（たとえば、スロットマシン、パチンコ球を用いたスロットマシン等）であって、
光を供給するための発光源（発光源ＬＥＤ３，赤ＬＥＤ，緑ＬＥＤ，フルカラーＬＥＤ等）と、
第１の端部（一端部１’）と第２の端部（他端部１”）を有し、一方の端部から供給された光を他方の端部まで伝送する光伝送体（光伝送ロッド１）とを複数備えており、
前記光伝送体の外周面は、長手方向（外周面を構成する母線の延びる方向）に沿って帯状（たとえば、母線と母線によって囲まれる領域）に広がる受光した光の進行方向を変更するための光路変更部（加工面５’）が形成された第１の領域と光路変更部が形成されない第２の領域とから構成されており、
前記第１の領域と前記第２の領域とで前記外周面の全周を取り囲んでおり（図３等参照）、
前記複数の光伝送体は、それぞれ円弧形状となるように形成され（図９の光伝送ロッド６１，６２等）、かつ、一方の光伝送体（たとえば、光伝送ロッド６１）の第１の端部（一端部６１’）と他方の光伝送体（たとえば、光伝送ロッド６２）の第２の端部（他端部６２”）とを近設または隣接させて環状に配置されており（図９等参照）、
前記光伝送体（たとえば、光伝送ロッド６１）の第１の端部（一端部６１’）に光を供給する第１の発光源（フルカラーＬＥＤ６３ａ）と当該光伝送体の第２の端部（他端部６１”）に光を供給する第２の発光源（フルカラーＬＥＤ６３ｂ）とは異なる発光色を供給でき（たとえば、緑色と赤色等）、かつ、近設または隣接する光伝送体の一方の光伝送体（たとえば、光伝送ロッド６２）の第１の端部（一端部６２’）に光を供給する第１の発光源（フルカラーＬＥＤ６３ｃ）と他方の光伝送体の第２の端部に光を供給する第２の発光源（フルカラーＬＥＤ６３ｂ）とは同一の発光色を供給できる（たとえば、緑色と赤色）とともに、
前記複数の光伝送体のそれぞれにおける前記第１の発光源と前記第２の発光源の光量を変化させる光量変化手段（遊技制御手段１３１，ランプ制御基板１３５等）がさらに備えられており、
前記光量変化手段は、
前記近設または隣接する一方の光伝送体の第１の端部に光を供給する第１の発光源の光量を当該光伝送体の第２の端部に光を供給する第２の発光源の光量と比較し相対的に減少させる光量減少制御（図１０のフルカラーＬＥＤ６３ｂ，６３ｄの光量減少）と、
該光伝送体の第１の端部に近設または隣接する他方の光伝送体の第２の端部に光を供給する第２の発光源の光量を当該光伝送体の第１の端部に光を供給する第１の発光源の光量と比較し相対的に増加させる光量増加制御（図１０のフルカラーＬＥＤ６３ａ，６３ｃの光量増加）とを同期させて行なう。
【００１８】
上述のような構成によれば、近設または隣接する複数の光伝送体にわたって色が回転するような従来にない見た目に新しい光演出を実行することができ、遊技の興趣を向上させることができる。さらに、光伝送体の長手方向に帯状に延びる第１の領域に、光の進行方向を変更させる光路変更部が形成されているため、遊技者側に非加工外周面を向けて配置させるか、加工外周面を向けて配置させるかにより、強い光を遊技者に向けて放射させ遊技者にインパクトのある光演出を提供し強い印象を持たせるか、または、直接的に遊技者側に放射される光量を低減し従来にない間接照明的な光演出を実現させることによる効果を顕著に発揮させることができる。
【００１９】
（７）　１ゲームに対して賭数を設定（たとえば、メダル，パチンコ球等を投入しセット）することによりゲームが開始可能となるとともに、表示状態を変化（たとえば、リールに付された図柄のスクロール）させることが可能な可変表示装置の表示結果（たとえば、停止図柄）が導出表示されることにより１ゲームが終了し、該可変表示装置の表示結果に応じて所定の入賞（たとえば、ビッグボーナス入賞、小役入賞）が発生可能なスロットマシン（たとえば、スロットマシン、パチンコ球を用いたスロットマシン等）であって、
光を供給するための発光源（発光源ＬＥＤ３，赤ＬＥＤ，緑ＬＥＤ，フルカラーＬＥＤ等）と、
第１の端部（端部１’）と第２の端部（他端部１”）を有し、一方の端部から供給された光を他方の端部まで伝送する光伝送体（光伝送ロッド１）とを複数備えており、
前記第１の端部に光を供給する第１の発光源（発光源ＬＥＤ３，フルカラーＬＥＤ６３ａ等）と、
前記第２の端部に光を供給する第２の発光源（発光源ＬＥＤ３，フルカラーＬＥＤ６３ｂ等）とを備えており、
前記光伝送体の外周面は、長手方向（外周面を構成する母線の延びる方向）に沿って帯状（たとえば、母線と母線によって囲まれる領域）に広がる受光した光の進行方向を変更するための光路変更部（加工面５’）が形成された第１の領域と光路変更部が形成されない第２の領域とから構成されており、
前記第１の領域と前記第２の領域とで前記外周面の全周を取り囲んでおり（図３等参照）、
前記複数の光伝送体のそれぞれは、半円形状となるように形成され（図９の光伝送ロッド６１，６２等）、かつ、一方の光伝送体（たとえば、光伝送ロッド６１）の第１の端部（一端部６１’）を他方の光伝送体（光伝送ロッド６２）の第２の端部（他端部６２”）に近設または隣接させ、かつ、一方の光伝送体の第２の端部（他端部６１”）を他方の光伝送体の第１の端部（一端部６２’）に近設または隣接させることにより円状となるよう配置されており（図９等参照）、
前記第１の発光源と前記第２の発光源とは異なる発光色を供給でき（たとえば、緑色と赤色等）、かつ、近設または隣接する一方の光伝送体の第１の端部に光を供給する第１の発光源と他方の光伝送体の第２の端部に光を供給する第２の発光源とは同一の発光色を供給できる（たとえば、緑色と赤色等）とともに、
前記複数の光伝送体のそれぞれにおける前記第１の発光源と前記第２の発光源の光量を制御する光量制御手段（遊技制御手段１３１，ランプ制御基板１３５等）がさらに備えられており、
前記光量制御手段は、
前記第１の発光源を発光させて、前記光伝送体の第１の端部から当該光伝送体の第２の端部までの間における前記第１の発光源からの発光色（たとえば、赤色）の占める割合が所定占有率（たとえば、１００パーセントまたは５０パーセント等、予め設定した割合）となる状態まで光量を増加させる第１発光源光量増加制御（たとえば，図１０（ｂ）から（ｄ），（ｅ）から（ａ）等）と、
前記第１発光源光量増加制御による前記第１の発光源からの発光色の占める割合が前記所定占有率となった後、前記第１の発光源からの前記発光色による発光を停止すると同時に、該停止した発光色（たとえば、赤色）と同じ発光色を前記第２の発光源から発光させる状態に切替える発光色切替制御（たとえば、図１０（ａ）から（ｂ），（ｄ）から（ｅ）等）とを行なう。
【００２０】
上述のような構成によれば、色が回転するような従来にない見た目に新しい光演出を実行することができ、遊技の興趣を向上させることができる。さらに、光伝送体の長手方向に帯状に延びる第１の領域に、光の進行方向を変更させる光路変更部が形成されているため、遊技者側に非加工外周面を向けて配置させるか、加工外周面を向けて配置させるかにより、強い光を遊技者に向けて放射させ遊技者にインパクトのある光演出を提供し強い印象を持たせるか、または、直接的に遊技者側に放射される光量を低減し従来にない間接照明的な光演出を実現させることによる効果を顕著に発揮させることができる。
【００２１】
（８）　１ゲームに対して賭数を設定（たとえば、メダル，パチンコ球等を投入しセット）することによりゲームが開始可能となるとともに、表示状態を変化（たとえば、リールに付された図柄のスクロール）させることが可能な可変表示装置の表示結果（たとえば、停止図柄）が導出表示されることにより１ゲームが終了し、該可変表示装置の表示結果に応じて所定の入賞（たとえば、ビッグボーナス入賞、小役入賞）が発生可能なスロットマシン（たとえば、スロットマシン、パチンコ球を用いたスロットマシン等）であって、
第１の端部（一端部１’）と第２の端部（他端部１”）を有し、一方の端部から供給された光を他方の端部まで伝送する光伝送体（光伝送ロッド１）と、
前記第１の端部に光を供給する第１の発光源（フルカラーＬＥＤ７２ａ）と、前記第１の発光源の発光色（たとえば、赤色）とは異なる発光色（たとえば、緑色）を有し前記第２の端部に光を供給する第２の発光源（フルカラーＬＥＤ７２ｂ）とを備えており、
前記光伝送体の外周面は、長手方向（外周面を構成する母線の延びる方向）に沿って帯状（たとえば、母線と母線によって囲まれる領域）に広がる受光した光の進行方向を変更するための光路変更部（加工面５’）が形成された第１の領域と光路変更部が形成されない第２の領域とから構成されており、
前記第１の領域と前記第２の領域とで前記外周面の全周を取り囲んでおり（図３等参照）、
前記光伝送体は、渦巻き形状または螺旋形状となるように形成されており（たとえば、光伝送ロッド７１，光伝送ロッド８１等参照）、
前記第１の発光源と前記第２の発光源の光量を変化させる光量変化手段（遊技制御手段１３１，ランプ制御基板１３５等）がさらに備えられており、
前記光量変化手段は、
前記第１の発光源の光量を徐々に増加させ、かつ、前記第２の発光源の光量を徐々に減少させることにより、前記光伝送体の第１の端部から第２の端部までの間における第１の発光源の発光色が占める割合である占有率を徐々に変化させ回転光演出を実行する回転光演出実行制御（図８，図１５等参照）を行なう。
【００２２】
上述のような構成によれば、色が回転するような従来にない見た目に新しい光演出を実行することができ、遊技の興趣を向上させることができる。さらに、光伝送体の長手方向に帯状に延びる第１の領域に、光の進行方向を変更させる光路変更部が形成されているため、遊技者側に非加工外周面を向けて配置させるか、加工外周面を向けて配置させるかにより、強い光を遊技者に向けて放射させ遊技者にインパクトのある光演出を提供し強い印象を持たせるか、または、直接的に遊技者側に放射される光量を低減し従来にない間接照明的な光演出を実現させることによる効果を顕著に発揮させることができる。
【００２３】
【発明の実施の形態】
以下に、本発明の実施の形態を図面にもとづいて説明する。なお、以下の実施の形態においては、弾球遊技機の一例としてパチンコ遊技機を示すが、遊技盤の前面に形成された遊技領域に遊技球を発射して遊技が行なわれる弾球遊技機や１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンであれば他の弾球遊技機やスロットマシンにおいても適用することが可能である。
【００２４】
第１実施形態
図１は、発光源ＬＥＤと光伝送ロッドと、それらを連結するための連結管について説明するための図である。なお、ここでは一般的に説明するため、光伝送ロッド１には、たとえば、ローレット掛け等の加工が施されていない状態について説明する。
【００２５】
まず、本実施形態で用いる光伝送ロッド１は、アクリル酸と誘導体を重合させたアクリル樹脂から構成される一層構造を採用しており、また、その形状は円柱となるよう形成されている。その円柱の端部１’から入射された光を他端部１”まで伝送する特性を有している。これは、アクリル樹脂の内部を伝送する光が外周面に衝突したときに、その外周面における法線からの角度（いわゆる入射角）が一定値未満であれば、たとえば外周面に対し正面から衝突すれば、アクリル樹脂の内部から外部へ放射され、逆に、その外周面の法線からの角度が一定値以上であれば、たとえば外周面に対し斜めに衝突すれば、再度内部に反射され外部へ放射されない、といったアクリル樹脂の特性を利用し伝送可能としている。なお、本実施形態においては、アクリル樹脂の一層構造による光伝送ロッドを用いた例について説明するが、２層構造からなり、内層を構成する材料（コア材）が、外層を構成する材料（クラッド材）よりも屈折率が高くなるように構成し、一定角度（いわゆる、臨界角）以上で内層と外層の境界面に衝突したときに反射され、一定角度以内で境界面に衝突したときに内部から外部に放射されるような構造にしてもよい。
【００２６】
なお、材質はアクリル樹脂に限るものではなく、プラスティックや合成ゴムならびにゴム状プラスティック等の透明材料であればよい。具体例としては、アクリルゴム、アクリルゴム、脂環式アクリル樹脂、アモルファスポリオレフィン、クロロプレンゴム、ジアリルフタレート、シリコン樹脂、シリコンゴム、スピラン樹脂、スチレン・メチルメタクリレート共重合体、ノルボルネン系樹脂、フッ素樹脂、フッ素ゴム、ポリアミド、ポリアリルサルホン、ポリアリレート、ポリイソプレンゴム、ポリイミド、ポリエーテルサルホン、ポリエーテルイミド、ポリエステルカーボネート、ポリ塩化ビニル、ポリ塩化ビニリデン、ポリ酢酸ビニル、ポリカーボネート、ポリサルホン、ポリスチレン、ポリメチルペンテンポリメチルメタクリレート等が挙げられる。また、２層構造としたときの外層の材質は、選択した内層の材質より屈折率の低い材質を選択するようにすればよい。
【００２７】
また、光伝送ロッドは中空形状に成形されたものではなく、中身の詰まった中実形状に成形された無垢状のものであり、その形状が円柱形状のものについて説明するが、これに限らず、中部が詰まったラグビーボールのような形状でもよく、一端部１’から入射された光を他端部１”まで伝送することができる形状であればどのような形状でもよい。
【００２８】
図１（ａ）では、光伝送ロッド１の片端１’側に連結管２を介して発光源ＬＥＤ３が設けられている。発光源ＬＥＤ３を発光させることにより、照射される光は、連結管２によりその光を外に放出することなく光伝送ロッド１の端部１’に入射され、上述したように他端部１”まで伝送される。また、本実施形態においては、光伝送ロッド１を連結管２に設けられている挿入部分４に挿入させることにより一体となるように構成されている。発光源ＬＥＤにおいても同様である。
【００２９】
図１（ｂ）では、光伝送ロッド１の両端１’，１”にそれぞれ連結管２を介して発光源ＬＥＤ３が設けられている。発光源ＬＥＤ３を発光させることにより照射される光は、光伝送ロッド１の両端部１’，１”にそれぞれ入射され、入射された端部に相対する端部まで伝送される。
【００３０】
図２，図３は、光伝送ロッド１にローレット掛けが施された状態を側面と断面から説明するための図である。なお、本実施形態においては、開角９０°Ｖ字の加工部を有する被加工物によりローレット掛けが施されたものであり、図中の斜線部は、この被加工物によりローレット掛けが施された、いわゆる、切欠部分を示している。
【００３１】
なお、本実施形態においては、加工の施されていない光伝送ロッドを、事後的にローレット掛けを施すことにより光路変更部が形成される例について説明するが、これに限らず、光伝送ロッドを生産する段階において予め光路変更部が形成されるようにしてもよい。すなわち、一方向に凹凸面を有する内面形状の射出成形用金型を利用し、アクリル樹脂のペレットを加熱・溶融してかかる金型内に射出・流入し、冷却・固化することにより得られた光伝送ロッドを用いてもよい。かかる光伝送ロッドにおいても、同様に、長手方向に帯状に延びる第１の領域に光路変更部が形成されている。
【００３２】
ここで光路変更部（以下、切欠という）とは、光伝送ロッド内の伝送過程にある光の進行方向を変更するために形成されたものをいい、光伝送ロッドの外周面に衝突することにより光の進行方向が変更される材質の有する特性をいうものではない。
【００３３】
図２（ａ）は、光伝送ロッド１の外周面にローレット掛けが施されている箇所の外周面の側面図を示す。切欠５は、開角θ＝９０°となる三角形状に切欠かれている。また、切欠のピッチ間隔は、光伝送ロッド１の外径Ａの５分の１（０．２Ａ）程度となるように設定している。なお、かかるピッチ間隔を狭くするほど、放射光の光量を多くすることができ、ピッチ間隔を広くするほど、放射光の光量を少なくすることができる。よって、かかる切欠のピッチ間隔は、必要とする放射光の光量に合わせて任意に選択できるものであるため、光伝送ロッド１の外径に対し５分の１（０．２Ａ）程度に切欠くことに限るものではない。
【００３４】
図２（ｂ）は、光伝送ロッド１の外周面に施されたローレット掛け付近の光の進行方向を説明するための図である。図中の矢印は、光伝送ロッド１内を端部から他端部まで伝送する過程にある光の進行方向を示している。なお、θは臨界角を示しており、ローレット掛け加工面５’上の法線１０と屈折角９０°となる光１１のローレット掛け加工面５’に衝突する前の光路とがなす角度である。
【００３５】
ここで、臨界角とは、スネルの法則（ｎ１ｓｉｎθ＝ｎ２ｓｉｎθ２）により屈折角θ２＝９０°となるときのθの値である。かかる臨界角θより大きな入射角となるように光を衝突させたときには、屈折角も９０°よりも大きくなり、衝突させた光を全反射させることができる。この性質を利用し、光伝送ロッド１内部を伝送中の光の進行方向を変更させることができる。以下、ローレット掛け加工面５’に衝突した際の入射角が臨界角θより大きな値で衝突した光と、臨界角θより小さな値で衝突した光における光路の進行方向をそれぞれ説明する。
【００３６】
光１２は、ローレット掛け加工面５’に臨界角θより大きな角度で衝突（入射）した光である。臨界角θよりも大きな角度で衝突しているため全反射し、切欠５が施されていない外周面側に進行する。さらに、かかる切欠５が施されていない外周面の衝突点における臨界角θより小さな角度で衝突したときは外部に放射され、大きな角度で衝突したときは光伝送ロッド１内部へ全反射され伝送されることとなる。
【００３７】
光１３は、ローレット掛け加工面５’に臨界角θより小さな角度で衝突（入射）した光である。臨界角θよりも小さな角度で衝突しているため光伝送ロッド１外部に放射される。
【００３８】
ただし、光伝送ロッド１内部を伝送中の光の進行方向における割合としては、光１２のような臨界角θよりも大きな角度でローレット掛け加工面５’に衝突する光の方が、光１３のような臨界角θよりも小さな角度でローレット掛け加工面５’に衝突する光よりも多くなる。これは、切欠５の開角を調節していることや、連結管２の内面形状を調節（たとえば、テーパーを付ける）すること等によりローレット掛け加工面５’に衝突したときに臨界角θより大きな値で衝突する割合が高くなるように構成している。
【００３９】
以上のことから、ローレット掛けを施し切欠５を設けることにより、ローレット掛けが施された外周面とローレット掛けが施されていない外周面とでは、放射される光の量を異ならせることができ、同一の光伝送ロッド１であっても見る方向により放射光の光量・輝度を異ならせることができる。すなわち、本来であればローレット掛けが施された外周面から放射されるはずの光の進行方向が切欠５により変更されるため、ローレット掛けが施された外周面から放射される光の量を少量に抑えられ、ローレット掛けが施されていない外周面から放射される光の量を多量にすることができる。
【００４０】
なお、かかる切欠５の開き角度θが広いほど、伝送過程にある光は加工面５’に対し鈍角に衝突し反射するため、ローレット掛けが施されていない外周面から放射される光量は比較的多くなる。また、切欠５の開き角度θが狭いときは、伝送過程にある光が加工面５’に対し鋭角に衝突するため、ローレット掛けが施されている外周面からそのまま外部へ放射され、ローレット掛けが施されていない外周面から放射される光量は比較的少なくなる。よって、かかる開き角度の設定は、必要となる光量に合わせて任意に選択できるものであるため、９０°に限るものではない。
【００４１】
図３（ａ）は、光伝送ロッド１の外周面にローレット掛けが施されている箇所の断面を説明するための図である。図中の寸法は、切欠５の切欠深さと外径の比率を示している。切欠５の切欠深さは、光伝送ロッド１の外径Ａの８分程度（０．０８Ａ）となるように設定している。なお、かかる切欠５の深さを深くするほど、ローレット掛けが施されていない外周面から光の放射される放射範囲を比較的広くすることができる。また、切欠５の深さを浅くするほど、ローレット掛けが施されていない外周面から光の放射される放射範囲は比較的狭くなるが、光伝送可能距離が長くなるため光伝送ロッド１の端まで光を伝達し易くなる。よって、かかる切欠５の深さの設定は、必要とする光の放射範囲に合わせて任意に選択できるものであるため、光伝送ロッド１の外径に対し８分程度（０．０８Ａ）に切欠くことに限るものではない。
【００４２】
図３（ｂ）は、光伝送ロッド１の光伝送途中箇所の断面形状を説明するための図である。なお、光伝送途中箇所の断面形状とは、ローレット掛けが施された第１の領域とローレット掛けが施されていない第２の領域とを含む断面であって、光伝送ロッド１の端部を含む断面ではない。
【００４３】
図中の矢印はそれぞれ放射光の進行方向を示している。前述したように、ローレット掛けが施されている外周面側から放射される光１４は少量となり、ローレット掛けが施されていない外周面側から放射される光１５は多量となっている。また、前述したスネルの法則に則り、光１５は光伝送ロッド１から空気中に放射される際に屈折する。よって、光１５は、焦点に向かって収束した後、発散する方向に進行するため、広範囲にわたって強い光を放射することができる。
【００４４】
図４は、ローレット掛けの施された光伝送ロッドを用いて光演出を実行する遊技機部材の一例について説明するための図である。
【００４５】
図４（ａ）は、本実施形態で用いる遊技機部材２０の構成を示している。遊技機部材２０は、光を供給する発光源ＬＥＤと、かかる発光源ＬＥＤからの光を無駄なく複数の光伝送ロッドに供給可能にするために介在し、発光源の発光部と光伝送ロッドの端部との間の空間を覆う中空状に形成された連結部材２４，２５と、それぞれの発光源ＬＥＤから照射された光を端部から受光し他端部まで伝送する３本の光伝送ロッド２１，２２，２３と、これら組み立てたものを一体として遊技機に取り付けるための取付板２６から構成されている。なお、発光源ＬＥＤとしては、光伝送ロッド２１，２３のそれぞれの両端部には緑色の光を供給する緑ＬＥＤ２１’，２３’と赤色の光を供給する赤ＬＥＤ２１”，２３”と、光伝送ロッド２２の両端部には緑ＬＥＤ２２”と複数色の光を供給するフルカラーＬＥＤ２２’が設けられている。以上のように、本実施形態における光伝送ロッドの両端部には、異なる色の光を入射させることができる発光源ＬＥＤが設けられており、一の光伝送ロッドから異なる色の光を照射させることができ、発光源ＬＥＤからの光量を変化させることにより、同一色の光が光伝送ロッドを占める割合を変化させることができる。これについては図６等を用いて詳述する。なお、本実施形態の遊技機部材２０に用いる光伝送ロッドは、中空形状に成形されたものではなく、中身の詰まった中実形状に成形された無垢状のものである。
【００４６】
図４（ｂ）は、遊技機部材２０に用いる光伝送ロッド２１を取付板２６側から見たときの拡大図である。
【００４７】
遊技機部材２０に用いられる光伝送ロッド２１の外周面は、光伝送ロッドにおける長手方向に沿って帯状に広がる領域にローレット掛けが施されている第１の領域（以下、加工外周面という）と、ローレット掛けが施されていない第２の領域（以下、非加工外周面という）とが互いに補い合うことにより構成されている。
【００４８】
ここで、前述した長手方向に沿って帯状に広がる領域について説明する。
長手方向に沿って帯状に広がる領域とは、円柱形状の光伝送ロッド２１における外周面である柱面（外周面）が直線（母線）２７の運動によって描かれた曲面であることより、かかる直線（母線）の一の直線（母線）２７と他の直線（母線）２７’の一つとを境界線として囲まれる外周面上の領域２８をいう。よって、円柱形状の光伝送ロッドを本実施形態のように湾曲に変形させたときであっても、螺旋状に広がるような領域となることがなく、たとえば、一方向から光伝送ロッドを見たときに、加工外周面と非加工外周面が交互に錯綜することがない。なお、長手方向に広がる範囲は、光伝送ロッド２１と連結部材２４，２５を組み立てたときに、露出する範囲を少なくとも含んであればよく、隠蔽される光伝送ロッド２１の範囲をも含むものであってもよい。たとえば、図１（ａ）にもとづき説明すると、前述した挿入部分４を除く光伝送ロッド１の露出した範囲を含んでいればよく、挿入部分４をも含む範囲であってもよい。本実施形態においては、このようにして定まる範囲を、長手方向に沿って帯状に広がる領域とする。
【００４９】
また、加工外周面と非加工外周面とが互いに補い合うことにより光伝送ロッドの外周面が構成されている。すなわち、光伝送ロッドの外周面の全周にわたり加工外周面が形成されることや加工外周面が全く形成されていないようなこともない。さらに、光伝送ロッドの外周面のうち半周部分が、複数の加工外周面と非加工外周面から構成されるようにしてもよい。たとえば、光伝送ロッドの外周面のうち半周部分が、加工外周面と非加工外周面を交互に配置させることや、加工外周面を隣り合うように連続して配置させることにより構成されているようにしてもよい。
【００５０】
また、本実施形態におけるローレット掛けは、加工外周面上の直線（母線）２７と直交する方向に切欠溝が向くように施されている。なお、切欠溝の向きを直線（母線）２７と直交する方向に施すことに限らず、切欠溝の向きを直線（母線）２７と斜交する方向に施すようにしてもよい。すなわち、伝送中の光が切欠に衝突し全反射できるような向きであればどのような向きであってもよい。
【００５１】
前述したように、一方向の外周面にローレット掛けを施すことにより、非加工外周面側では、加工外周面で進行方向が変更された光が放射されることにより強い光を視認することができる。本実施形態では、かかる加工外周面（ローレット掛けが施された外周面）である光路変更部が形成されている第１の領域を遊技機側に向け配置することにより、遊技者に強い光を認識させることができ、光演出効果を高めている。なお、加工外周面側では、切欠により放射される光はほとんどないことにより弱い光を視認することとなる。さらに、切欠を真横から臨んだときは、ほとんど光を視認することができないこととなる。
【００５２】
図５は、連結部材２４付近の側面図を示している。各種遊技機部材を取り付けるための遊技機側のベニヤ板２７に取付板２６を介し、光伝送ロッド２１，２２，２３と連結部材２４とそれぞれの発光源ＬＥＤが一体として取り付けられている。また、光伝送ロッド２１，２２，２３は、加工外周面が取付板２６側に、非加工外周面が遊技者側に向くように配置されている。なお、非加工外周面が取付板２６の法線方向に向けられているが、かかる遊技機部材が取付けられる位置により、非加工外周面の向きを、遊技者の視野範囲と放射光の放射範囲が互いに重なる割合が多くなる向きに随時調整し設定する。たとえば、後述する、装飾ランプとして用いたときには、取付板２６の法線方向に対し遊技機中心方向に約２０°回転させることにより前述したそれぞれの範囲が重なる割合を多くすることができる。
【００５３】
図６は、光伝送ロッド２１，２３の両端部に設けられている発光源ＬＥＤへ通電するときのパルス幅を変化させ緑色または赤色の占める割合の変化を説明するための図である。本実施形態においては、光伝送ロッドの図中の上側には緑色の光を入射させる緑ＬＥＤ２１’を設け、光伝送ロッドの図中の下側には赤色の光を入射させる赤ＬＥＤ２１”を設け、緑色・赤色の光が光伝送ロッドを占める割合である占有率を変化させるものとし、図中の光伝送ロッドと発光源ＬＥＤの白色部分は緑色の光の照射を、影部分は赤色の光の照射を表わしている。また、図中の光伝送ロッド中の同一色の占める占有率は、パルス幅を数サイクル繰り返し通電したときの状態であり、たとえば図６（ｄ）の占有率は、図６（ｄ’）を参照し、緑ＬＥＤ２１’にも赤ＬＥＤ２１”にも１サイクル（１６ｍｓｅｃ）の間に８ｍｓｅｃのパルス幅で数サイクル繰り返し通電を行なったときの状態を表わしている。以下、発光源ＬＥＤへの通電時間と光伝送ロッド中の同一色の占める占有率とを対比し説明する。
【００５４】
図６（ａ）は、図６（ａ’）を参照し、緑ＬＥＤ２１’に１６ｍｓｅｃのパルス幅で数サイクル通電を行ない、赤ＬＥＤ２１”に通電を行なわなかったときの光伝送ロッドの占有率状態である。光伝送ロッドは緑色の光により占有されている。
【００５５】
図６（ｂ）は、図６（ｂ’）を参照し、緑ＬＥＤ２１’に１２ｍｓｅｃのパルス幅で、赤ＬＥＤ２１”に４ｍｓｅｃのパルス幅でそれぞれ通電を行ったときの光伝送ロッドの占有率状態である。光伝送ロッドは、緑色の光により約８割程度占められ、赤色の光によっては約２割程度しか占有されていない。
【００５６】
図６（ｃ）は、図６（ｃ’）を参照し、緑ＬＥＤ２１’に１０ｍｓｅｃのパルス幅で、赤ＬＥＤ２１”に６ｍｓｅｃのパルス幅でそれぞれ通電を行ったときの光伝送ロッドの占有率状態である。光伝送ロッドは、緑色の光により約７割程度占められ、赤色の光によっては約３割程度しか占有されていない。
【００５７】
図６（ｄ）は、前述したとおりであり、図６（ｄ’）を参照し、緑ＬＥＤ２１’と赤ＬＥＤ２１”の双方に８ｍｓｅｃのパルス幅で通電を行ったときの光伝送ロッドの占有率状態である。光伝送ロッドは、緑色の光と赤色の光により約半分ずつ占有されている。
【００５８】
図６（ｅ）は、図６（ｅ’）を参照し、緑ＬＥＤ２１’に６ｍｓｅｃのパルス幅で、赤ＬＥＤ２１”に１０ｍｓｅｃのパルス幅でそれぞれ通電を行ったときの光伝送ロッドの占有率状態である。光伝送ロッドは、緑色の占有率と赤色の占有率が逆転し、緑色の光により約３割程度しか占有されておらず、赤色の光によっては約７割程度占められている。
【００５９】
図６（ｆ）は、図６（ｆ’）を参照し、緑ＬＥＤ２１’に４ｍｓｅｃのパルス幅で、赤ＬＥＤ２１”に１２ｍｓｅｃのパルス幅でそれぞれ通電を行ったときの光伝送ロッドの占有率状態である。光伝送ロッドは、緑色の光により約２割程度しか占有されておらず、赤色の光によっては約８割程度占められている。
【００６０】
図６（ｇ）は、図６（ｇ’）を参照し、赤ＬＥＤ２１”に１６ｍｓｅｃのパルス幅で数サイクル通電を行ない、緑ＬＥＤ２１’に通電を行なわなかったときの光伝送ロッドの占有率状態である。光伝送ロッドは赤色の光により占有されている。
【００６１】
以上のように、光伝送ロッドのそれぞれの端部に異なる色の光を入射させるとともに、各端部側に設けられている発光源ＬＥＤに１サイクル（１６ｍｓｅｃ）の間に通電するパルス幅を変化させ同一色の占める占有率を変化させることができる。なお、パルス幅は無段階に設定できるものであるため、緑色または赤色の光により占有される割合も無段階に調整することができる。
【００６２】
図７は、光伝送ロッド２２の一端部に設けられている緑ＬＥＤ２２”と他端部に設けられているフルカラーＬＥＤ２２’へ通電するときのパルス幅を変化させ緑色またはそれ以外の色の占める割合の変化を説明するための図である。本実施形態におけるフルカラーＬＥＤ２２’は、青色と赤色の光を入射させ、さらに、フルカラーＬＥＤ２２’から入射される光の色の占める割合によって、青色と赤色を切替えるものとする。なお、図中の塗りつぶし部分は青色の光の照射を表わしている。なお、フルカラーＬＥＤ２２’は、赤色・緑色・青色以外の光を照射させるものであってもよく、また、色の異なる発光源ＬＥＤをそれぞれ設けるようにしてもよい。
【００６３】
図７（ａ）は、図７（ａ’）を参照し、緑ＬＥＤ２２”に１６ｍｓｅｃのパルス幅で数サイクル通電を行ない、フルカラーＬＥＤ２２’に通電を行なわなかったときの光伝送ロッドの占有率状態である。光伝送ロッドは緑色の光により占有されている。
【００６４】
図７（ｂ）は、図７（ｂ’）を参照し、緑ＬＥＤ２２”に１２ｍｓｅｃのパルス幅で、フルカラーＬＥＤ２２’に４ｍｓｅｃのパルス幅でそれぞれ通電を行ったときの光伝送ロッドの占有率状態である。光伝送ロッドは、緑色の光により約８割程度占められ、フルカラーＬＥＤ２２’から照射された青色の光によっては約２割程度しか占有されていない。
【００６５】
図７（ｃ）は、図７（ｃ’）を参照し、緑ＬＥＤ２２”に１０ｍｓｅｃのパルス幅で、フルカラーＬＥＤ２２’に６ｍｓｅｃのパルス幅でそれぞれ通電を行ったときの光伝送ロッドの占有率状態である。光伝送ロッドは、緑色の光により約７割程度占められ、フルカラーＬＥＤ２２’から照射された青色の光によっては約３割程度しか占有されていない。
【００６６】
図７（ｄ）は、図７（ｄ’）を参照し、緑ＬＥＤ２２”とフルカラーＬＥＤ２２’の双方に８ｍｓｅｃのパルス幅で通電を行ったときの光伝送ロッドの占有率状態である。光伝送ロッドは、緑色の光と青色の光により約半分ずつ占有されている。
【００６７】
図７（ｅ）は、図７（ｅ’）を参照し、緑ＬＥＤ２２”に６ｍｓｅｃのパルス幅で、フルカラーＬＥＤ２２’に１０ｍｓｅｃのパルス幅でそれぞれ通電を行ったときの光伝送ロッドの占有率状態である。光伝送ロッドは、緑色の占有率と赤色の占有率が逆転すると同時にフルカラーＬＥＤ２２’から照射される光の色が青色から赤色に切替えられ、緑色の光により約３割程度しか占有されておらず、フルカラーＬＥＤ２２’から照射された赤色の光によっては約７割程度占められている。
【００６８】
図７（ｆ）は、図７（ｆ’）を参照し、緑ＬＥＤ２２”に４ｍｓｅｃのパルス幅で、フルカラーＬＥＤ２２’に１２ｍｓｅｃのパルス幅でそれぞれ通電を行ったときの光伝送ロッドの占有率状態である。光伝送ロッドは、緑色の光により約２割程度しか占有されておらず、フルカラーＬＥＤ２２’から照射された赤色の光によっては約８割程度占められている。
【００６９】
図７（ｇ）は、図７（ｇ’）を参照し、フルカラーＬＥＤ２２’に１６ｍｓｅｃのパルス幅で数サイクル通電を行ない、緑ＬＥＤ２２”に通電を行なわなかったときの光伝送ロッドの占有率状態である。光伝送ロッドはフルカラーＬＥＤ２２’から照射された赤色の光により占有されている。
【００７０】
以上のように、光伝送ロッドのそれぞれの端部に異なる色の光を入射させるとともに、各端部側に設けられている発光源ＬＥＤに１サイクル（１６ｍｓｅｃ）の間に通電するパルス幅を変化させ同一色の占める占有率を変化させることができる。また、一端部にはフルカラーＬＥＤ２２’が設けられており、同一色が占める占有率により、照射する光の色をも変化させることができる。
【００７１】
図８は、図６から図７を用いて説明した光伝送ロッドの同一色の占める割合の変化を視認できるように、両端部に設けられている発光源ＬＥＤへ通電するときの単位時間あたりのパルス幅を徐々に変化させ同一色の占有率の動きを説明するための図である。本実施形態においては、光伝送ロッドの図中の上側には緑色の光を入射させる緑ＬＥＤ２１’を設け、光伝送ロッドの図中の下側には赤色の光を入射させる赤ＬＥＤ２１”を設け、緑色・赤色の光が光伝送ロッドを占める割合である占有率を変化させるものとし、図中の光伝送ロッドと発光源ＬＥＤの白色部分は緑色の光の照射を、影部分は赤色の光の照射を表わしている。なお、ここでは、１秒間でパルス幅を４ｍｓｅｃ増減させるような視認できるスピードで徐々に変化させる場合について説明する。この割合で増減させたときには、たとえば、光伝送ロッド全体が緑色の光により占められ赤色の光の占める割合がゼロの状態から、緑ＬＥＤ２１’のパルス幅を１秒間に４ｍｓｅｃ減少させる割合で、赤ＬＥＤ２１”のパルス幅を１秒間に４ｍｓｅｃ増加させる割合で徐々に変化させ通電したときに、光伝送ロッド全体が緑色の光により占められる割合がゼロとなり赤色の光により占められるまでに４秒かかることとなる。以下、時間の経過とともに、光伝送ロッドが同一色により占められる割合の変化について説明する。
【００７２】
図８（ａ）は、図８（ａ’）を参照し、緑ＬＥＤ２１’に１６ｍｓｅｃのパルス幅で通電が行なわれており、赤ＬＥＤ２１”に通電が行なわれていないときの光伝送ロッドの占有率状態である。かかる時点においては、光伝送ロッドは緑色の光により占有されている。
【００７３】
図８（ｂ）は、図８（ａ）の１．５秒後の光伝送ロッドの占有率状態であり、図８（ｂ’）を参照し、パルス幅は１．５×４ｍｓｅｃ＝６ｍｓｅｃ増減されていることとなる。よって、緑ＬＥＤ２１’は１０ｍｓｅｃのパルス幅で、赤ＬＥＤ２１”は６ｍｓｅｃのパルス幅でそれぞれ通電を行ったときの光伝送ロッドの占有率状態である。緑ＬＥＤ２１’と赤ＬＥＤ２１”への通電するときのパルス幅を徐々に変化させているため、光伝送ロッドの緑色の光により約８割程度まで占有率が変化する動きと、赤ＬＥＤ２１”から照射された赤色の光により約２割程度まで占有率が変化する動きとを視認することができる。
【００７４】
図８（ｃ）は、図８（ｂ）のさらに１．５秒後の光伝送ロッドの占有率状態であり、図８（ｃ’）を参照し、パルス幅は１．５×４ｍｓｅｃ＝６ｍｓｅｃ増減されていることとなる。よって、緑ＬＥＤ２１’は４ｍｓｅｃのパルス幅で、赤ＬＥＤ２１”は１２ｍｓｅｃのパルス幅でそれぞれ通電を行ったときの光伝送ロッドの占有率状態である。光伝送ロッドは、緑色の光により約２割程度占められ、赤ＬＥＤ２１”から照射された赤色の光によっては約８割程度占有されている。
【００７５】
図８（ｄ）は、図８（ｃ）の１秒後の光伝送ロッドの占有率状態であり、図８（ｄ’）を参照し、パルス幅は１×４ｍｓｅｃ＝４ｍｓｅｃ増減されていることとなる。よって、赤ＬＥＤ２１”に１６ｍｓｅｃのパルス幅で通電が行なわれており、緑ＬＥＤ２１’に通電が行なわれていないときの光伝送ロッドの占有率状態である。光伝送ロッドは赤ＬＥＤ２１”から照射された赤色の光により占有されている。
【００７６】
図８（ｅ）から図８（ｇ）は、前述した内容と逆に、１秒間に４ｍｓｅｃ増減させる割合で、緑ＬＥＤ２１’へのパルス幅を増加させ通電し、赤ＬＥＤ２１”へのパルス幅を減少させ通電している。よって、光伝送体を緑色または赤色の光により占有される割合が変化する動きを視認することができる。なお、光伝送ロッドが赤色の光で占有されてから図８（ｇ）のように光伝送ロッドが緑色の光で再び占有されるまでにかかる時間は４秒となる。
【００７７】
図９は、ローレット掛けの施された半円形状の光伝送ロッドを用いて光演出を実行する遊技機部材の一例について説明するための図である。
【００７８】
図９（ａ）は、本実施形態で用いる遊技機部材６０の構成を説明するための正面図であり、図９（ｂ）は遊技機部材６０の上面図、図９（ｃ）は遊技機部材６０の右側面図である。遊技機部材６０は、半円形状に形成された光伝送ロッド６１，６２と、光を供給するフルカラーＬＥＤ６３ａ，６３ｂ，６３ｃ，６３ｄと、かかる発光源ＬＥＤからの光を無駄なく光伝送ロッド６１，６２に供給可能にするために介在し、発光源の発光部と光伝送ロッドの端部との間の空間を覆う中空状に形成された連結部材６４と、これら組み立てたものを一体として遊技機に取り付けるための取付板（図示省略，図４参照）から構成されており、半円形状の光伝送ロッド６１の両端部６１’，６１”と光伝送ロッド６２の両端部６２’，６２”とを近設させることにより、円状となるように配置させている。なお、かかる光伝送ロッド６１と光伝送ロッド６２の隙間をできるだけ少なくするように、光伝送ロッド６１，６２の両端部６１’，６１”，６２’，６２”の端面が正面からは見えない裏側に向くように形成されている。これにより、連結部材６４が正面側から見えることはなく、光演出に陰影部分が発生することを防止することができる。以上のように、本実施形態における光伝送ロッド６１，６２の両端部６１’，６１”，６２’，６２”には、フルカラーＬＥＤ６３ａ，６３ｂ，６３ｃ，６３ｄが設けられており、光伝送ロッド６１，６２の両端部６１’，６１”，６２’，６２”から異なる色の光を照射させることができ、フルカラーＬＥＤ６３ａ，６３ｂ，６３ｃ，６３ｄからの光量を変化させることにより、同一色の光が光伝送ロッドを占める割合を変化させることができる（図６等参照）。なお、かかる遊技機部材６０における光伝送ロッド６１，６２も、図４を用いて説明した加工外周面が設けられており、遊技機部材６０の裏側にかかる加工外周面を向け、非加工外周面を正面側に向くように配置させているため、それぞれの光伝送ロッドから強い光を放射させるとともに、レンズ効果により光を収束・拡散されるため、視覚を通じて遊技者により強い光を認識させることができる。
【００７９】
図１０は、遊技機部材６０の光伝送ロッド６１，６２の両端部に設けられているフルカラーＬＥＤ６３ａ，６３ｂ，６３ｃ，６３ｄへ通電するときのパルス幅を変化させそれぞれの光伝送ロッド６１，６２を同一色の占める割合の変化を説明するための図である。なお、本実施形態におけるフルカラーＬＥＤ６３ａ，６３ｂ，６３ｃ，６３ｄは、緑色と赤色の光を入射させ、さらに、フルカラーＬＥＤ６３ａ，６３ｂ，６３ｃ，６３ｄから供給される光の色の占める割合によって、緑色と赤色を切替えるものとする。なお、図中の塗りつぶし部分は赤色の光の照射を表わしている。また、フルカラーＬＥＤ６３ａ，６３ｂ，６３ｃ，６３ｄからの各色の光量は、図７において説明した通電時のパルス幅を変化させることにより調整を行なうものであり、ここでは図中のパルス幅で通電が行なわれたものとする。たとえば、図１０（ａ）のフルカラーＬＥＤ６３ａであれば、「赤１６」の書き込みから、１６ｍｓｅｃで通電を行ない赤色の光を照射するものとする。さらに、フルカラーＬＥＤ６３ａ，６３ｂ，６３ｃ，６３ｄは、赤色・緑色以外の光を照射させるものであってもよく、また、色の異なる発光源ＬＥＤをそれぞれ設けるようにしてもよい。
【００８０】
図１０（ａ）は、フルカラーＬＥＤ６３ａにより１６ｍｓｅｃで通電時の赤色の光が光伝送ロッド６１の一端部６１’に供給され、フルカラーＬＥＤ６３ｃにより１６ｍｓｅｃで通電時の緑色の光が光伝送ロッド６２の一端部６２’に供給され、フルカラーＬＥＤ６３ｂ，６３ｄに対しては通電が行なわれていないときの光伝送ロッド６１，６２の各色の占有率状態である。光伝送ロッド６１は赤色の光により、光伝送ロッド６２は緑色の光により全体が占有されている。
【００８１】
図１０（ｂ）は、フルカラーＬＥＤ６３ａにより６ｍｓｅｃで通電時の緑色の光が光伝送ロッド６１の一端部６１’に供給され、フルカラーＬＥＤ６３ｂにより１０ｍｓｅｃで通電時の赤色の光が光伝送ロッド６１の他端部６１”に供給され、フルカラーＬＥＤ６３ｃにより６ｍｓｅｃで通電時の赤色の光が光伝送ロッド６２の一端部６２’に供給され、フルカラーＬＥＤ６３ｄに１０ｍｓｅｃで緑色の光が光伝送ロッド６２の他端部６２”に供給されたときの光伝送ロッド６１，６２の各色の占有率状態である。光伝送ロッド６１は緑色の光により約３割程度占められ、赤色の光によって約７割程度占有され、光伝送ロッド６２は緑色の光により約７割程度占められ、赤色の光によっては約３割程度占有されている。なお、図１０（ａ）では、光伝送ロッド６１，６２のそれぞれが、赤色と緑色の光により全体が占有されたため、その瞬間にフルカラーＬＥＤ６３ａ，６３ｂ，６３ｃ，６３ｄから照射される光の色が切替えられ、赤色であったフルカラーＬＥＤは緑色に、緑色であったフルカラーＬＥＤは赤色にそれぞれ切替えられている。
【００８２】
図１０（ｃ）は、フルカラーＬＥＤ６３ａにより１０ｍｓｅｃで通電時の緑色の光が光伝送ロッド６１の一端部６１’に供給され、フルカラーＬＥＤ６３ｂにより６ｍｓｅｃで通電時の赤色の光が光伝送ロッド６１の他端部６１”に供給され、フルカラーＬＥＤ６３ｃにより１０ｍｓｅｃで通電時の赤色の光が光伝送ロッド６２の一端部６２’に供給され、フルカラーＬＥＤ６３ｄに６ｍｓｅｃで緑色の光が光伝送ロッド６２の他端部６２”に供給されたときの光伝送ロッド６１，６２の各色の占有率状態である。光伝送ロッド６１は緑色の光により約７割程度占められ、赤色の光によって約３割程度占有され、光伝送ロッド６２は緑色の光により約３割程度占められ、赤色の光によっては約７割程度占有されている。なお、図１０（ｂ）と比較して、光伝送ロッド６１における緑色の占有率は増加し、赤色の占有率は減少しており、また光伝送ロッド６２における緑色の占有率は減少し、赤色の占有率は増加している。
【００８３】
図１０（ｄ）は、フルカラーＬＥＤ６３ａにより１６ｍｓｅｃで通電時の緑色の光が光伝送ロッド６１の一端部６１’に供給され、フルカラーＬＥＤ６３ｃにより１６ｍｓｅｃで通電時の赤色の光が光伝送ロッド６２の一端部６２’に供給され、フルカラーＬＥＤ６３ｂ，６３ｄに対しては通電が行なわれていないときの光伝送ロッド６１，６２の各色の占有率状態である。光伝送ロッド６１は緑色の光により、光伝送ロッド６２は赤色の光により全体が占有されている。これにより、図１０（ｂ）で説明したと同様に、フルカラーＬＥＤ６３ａ，６３ｂ，６３ｃ，６３ｄから照射される光の色が切替えられる。
【００８４】
図１０（ｅ）は、フルカラーＬＥＤ６３ａにより６ｍｓｅｃで通電時の赤色の光が光伝送ロッド６１の一端部６１’に供給され、フルカラーＬＥＤ６３ｂにより１０ｍｓｅｃで通電時の緑色の光が光伝送ロッド６１の他端部６１”に供給され、フルカラーＬＥＤ６３ｃにより６ｍｓｅｃで通電時の緑色の光が光伝送ロッド６２の一端部６２’に供給され、フルカラーＬＥＤ６３ｄに１０ｍｓｅｃで赤色の光が光伝送ロッド６２の他端部６２”に供給されたときの光伝送ロッド６１，６２の各色の占有率状態である。光伝送ロッド６１は赤色の光により約３割程度占められ、緑色の光によって約７割程度占有され、光伝送ロッド６２は赤色の光により約７割程度占められ、緑色の光によっては約３割程度占有されている。
【００８５】
図１０（ｆ）は、フルカラーＬＥＤ６３ａにより１０ｍｓｅｃで通電時の赤色の光が光伝送ロッド６１の一端部６１’に供給され、フルカラーＬＥＤ６３ｂにより６ｍｓｅｃで通電時の緑色の光が光伝送ロッド６１の他端部６１”に供給され、フルカラーＬＥＤ６３ｃにより１０ｍｓｅｃで通電時の緑色の光が光伝送ロッド６２の一端部６２’に供給され、フルカラーＬＥＤ６３ｄに６ｍｓｅｃで赤色の光が光伝送ロッド６２の他端部６２”に供給されたときの光伝送ロッド６１，６２の各色の占有率状態である。光伝送ロッド６１は赤色の光により約７割程度占められ、緑色の光によって約３割程度占有され、光伝送ロッド６２は赤色の光により約３割程度占められ、緑色の光によっては約７割程度占有されている。なお、図１０（ｅ）と比較して、光伝送ロッド６１における赤色の占有率は増加し、緑色の占有率は減少しており、また光伝送ロッド６２における赤色の占有率は減少し、緑色の占有率は増加している。
【００８６】
以上のように、光伝送ロッドのそれぞれの端部に異なる色の光を入射させるとともに、各端部側に設けられているフルカラーＬＥＤ６３ａ，６３ｂ，６３ｃ，６３ｄに１サイクル（１６ｍｓｅｃ）の間に通電するパルス幅を相対的に変化させ同一色の占める占有率を変化させることができる。また、近設している光伝送ロッドの端部に同一色の光を入射させるとともに、一方の光伝送ロッドの端部に供給される光量が減少したときに、かかる端部に近設する他方の光伝送ロッドの端部に供給される光量を増加させているため、別個の光伝送ロッド６１，６２であるにもかかわらず全体的な同一色の占める割合である占有率を一定にすることができる。さらに、フルカラーＬＥＤ６３ａ，６３ｂ，６３ｃ，６３ｄからの発光色は、同一色が占める占有率により、照射する光の色を切替えることができる。本実施形態においては、同一色が占める占有率が１００パーセントになったときに切替えている。これらより、赤色または緑色の光が、それぞれの光伝送ロッドにおける占有率を変化させることにより、円状となるように配置された別個の光伝送ロッドにまたがって回転しているような、従来にない見た目に新しい回転光演出を行なうことができ、遊技の興趣を向上させることができる。また、かかる回転光演出における回転スピードは、図８を用いて前述したように単位時間あたりのパルス幅を徐々に変化させることにより、占有率が変化するスピードを調整できることを利用し、高速回転演出や低速回転演出を自由自在に行なうことができる。
【００８７】
図１１は、前述した遊技機部材と同様の枠ランプを備えたパチンコ遊技機１０１の正面図である。
【００８８】
パチンコ遊技機１０１は、縦長な方形状に枠組み形成される外枠１６２ａと、該外枠１６２ａの内側に開閉可能に軸支されかつパチンコ遊技機１０１の主要構成部が集約して設けられる前面枠１６２ｂと、該前面枠１６２ｂの前面上部に開閉自在に軸支されて設けられる額縁状に形成されたガラス扉枠１０２と、ガラス扉枠１０２の下部に打球供給皿１０３と、打球供給皿１０３の下部に打球供給皿１０３から溢れた景品玉を貯留する余剰玉受皿１０４と打球を発射する打球操作ハンドル（操作ノブ）１０５とが設けられている。ガラス扉枠１０２の後方には、遊技盤１０６が着脱可能に取付けられている。また、遊技盤１０６の前面には遊技領域１０７が設けられている。これについては、図１２を用いて後述する。また、遊技領域１０７を取り囲むように、回転ランプ１８１ａ，１８１ｂ，１８１ｃが設けられている。なお、かかる回転ランプ１８１ａ，１８１ｂ，１８１ｃは、円弧状の光伝送ロッドとかかる光伝送ロッドの遊技機の奥行き方向の奥側に向いた端部に光を供給する発光源とこれらを組み合わせる連結部材（いずれも図示省略、図９等参照）から構成されており、端部を近設させることにより円状となるように配置されている。また、それぞれの光伝送ロッドの一端部と他端部には２色以上の光を供給できる発光源ＬＥＤが設けられており、同一光伝送ロッドの両端部には異なる色の光を供給し、近設する別個の光伝送ロッドの端部には同一色の光を供給し、一方の光伝送ロッドの端部に供給される光量が減少したとき近設する端部に供給する光量を増加させるようにし、かつ、同一色が一定の占有率を満たしたときにそれぞれの端部に供給する光の色を切替える制御が行なわれる。これにより、別個の光伝送ロッドにまたがって左回り・右回りや高速・低速回転演出といった従来にない見た目に新しい光演出を実行することができ遊技の興趣を向上させることができる。
【００８９】
また、遊技領域１０７の外側の左右上部には、効果音を発する２つのスピーカ１２７が設けられている。なお、本実施形態においては、前面枠１６２ｂに着脱可能に遊技盤１０３が取付けられており、かかる遊技盤１０３に釘や役物等を取りつけ遊技領域１０７が形成されている例について説明しているが、前面枠に直接釘や役物等を取り付け遊技領域を形成するものであってもよい。
【００９０】
遊技領域１０７の上部外周には、遊技の進行に応じて広範囲にわたり点灯・点滅等の光演出を行なうことが可能な枠ランプ１２８ａと、その左右に枠ランプ１２８ｂ，１２８ｃが設けられている。なお、かかる枠ランプ１２８ａ，１２８ｂ，１２８ｃは、それぞれ前述した光伝送ロッドと発光源とこれらを組み合わせる連結部材（いずれも図示省略、図４等参照）から構成されている。本実施形態においては、非加工外周面を遊技者側に向くように配置させているため、それぞれの光伝送ロッドから強い光を放射させるとともに、レンズ効果により光を収束・拡散されるため、視覚を通じて遊技者により強い光を認識させることができる。これにより、遊技者が遊技に飽き、他所を見ているときであっても、十分遊技者の視野範囲内に枠ランプ１２８から強い光を放射させることができるため、遊技者を遊技に集中させることができ興趣向上につながる。また、光伝送ロッドの一端部から他端部までを同一色が占める割合である占有率を変化させることができるため、強い光により無段階に調整可能な光演出を遊技者に提供することができ、遊技の興趣をさらに向上させることができる。
【００９１】
そして、この例では、ガラス扉枠１０２の左側中央部に景品球払出時に点灯する賞球ランプ１５１が設けられ、ガラス扉枠１０２の中央上部に補給玉が切れたときに点灯する玉切れランプ１５２が設けられている。なお、かかるランプ等も光伝送ロッドを用い点灯・点滅させるようにしてもよい。なお、本実施形態においては、遊技機上方の前面側をガラス扉枠１０２で覆われた遊技機について説明するため、遊技枠としてガラス扉枠１０２に枠ランプ１２８ａ，１２８ｂ，１２８ｃを設けた例を説明したが、これに限らず、遊技機上方の前面側を２つ以上の枠で覆われた遊技機においては、遊技枠としてその前面側を覆うそれぞれの枠に光伝送ロッドにより構成された枠ランプを設けてもよい。たとえば、遊技機上方の前面側をガラス扉枠１０２と前面枠１６２ｂにより覆われた遊技機については、ガラス扉枠１０２と前面枠１６２ｂに枠ランプを設けてもよい。また、ガラス扉枠１０２か前面枠１６２ｂのいずれか一方に設けてもよい。
【００９２】
図１２は、パチンコ遊技機１０１の遊技盤１０６の前面に設けられている遊技領域１０７を説明するための図である。
【００９３】
遊技領域１０７の中央付近には、特別図柄表示部１０９を有する可変表示装置１０８が設けられている。かかる可変表示装置１０８の周囲を装飾する装飾部材の上部には、特別図柄表示部１０９により行なわれる演出に応じて、複数種類の光を発しかつ異なった色により同一色の占める割合である占有率を変化させることにより、別個の光伝送ロッドにまたがって回転光演出を実行することができる装飾部材ランプ１７４が設けられている。かかる装飾部材ランプ１７４は、前述した半円状に形成された光伝送ロッドを互いの端部同士が近設するように２つの光伝送ロッドが円状となるように配置されており、それぞれの光伝送ロッドの一端部と他端部には２色以上の光を供給できる発光源ＬＥＤが設けられており、同一の光伝送ロッドの両端部には異なる色の光を供給し、近設する別個の光伝送ロッドの端部には同一色の光を供給し、一方の光伝送ロッドの端部に供給される光量が減少したとき近設する端部に供給する光量を増加させるようにし、かつ、同一色が一定の占有率を満たしたときにそれぞれの端部に供給する光の色を切替える制御がなされるように構成されている（図９等参照）。これにより、可変表示装置１０８により行なわれる表示演出と装飾部材ランプ１７４により行なわれる回転光演出を同時に楽しむことができ、遊技の興趣を向上させることができる。また、可変表示装置１０８の下方中央部には始動入賞口１１４を構成する始動用電動役物１１５が、その両側には通過ゲート１１１がそれぞれ設けられている。さらに、始動入賞口１１４の下方には可変入賞球装置１１９が取付けられている。
【００９４】
始動入賞口１１４に入った始動入賞玉は、始動口スイッチ１１７によって検出される。始動口スイッチ１１７で打玉が検出されると、可変表示装置１０８の特別図柄が可変開始し、キャラクタの出現や、遊技者にとって有利となる大当り表示や各種予告等を表示し遊技を盛り上げるための演出が実行される。
【００９５】
また、遊技領域１０７の左右周辺には、遊技の進行に応じて広範囲にわたり点灯・点滅等の演出を行なう装飾ランプ１２５が設けられている。本実施形態においては、かかる装飾ランプ１２５は、図４を用い説明した遊技機部材と同一の構造からなり、強い光を放射させるとともに、その強い光を広範囲に放射させることができる。これにより、遊技者が遊技中最も注目している可変表示装置１０８に表示される演出を見ているときであっても、そのすぐそばに位置する装飾ランプ１２５から強い光を放射させることができるため、可変表示だけでなく、装飾ランプ１２５にも気を向けさせることができ、遊技者は光演出を満喫することができる。また、光伝送ロッドの一端部から他端部までを同一色が占める割合である占有率を変化させることができるため、強い光により無段階に調整可能な光演出を遊技者に提供することができ、遊技の興趣をさらに向上させることができる。
【００９６】
なお、遊技は、打球を発射する打球操作ハンドル１０５を操作することにより、発射された遊技球が遊技領域１０７に打ち込まれ遊技が実行される。また、発射された遊技球が遊技領域１０７内に設けられている始動入賞口１１４等に入賞することにより、遊技者に遊技球が払い出される。さらに、可変表示装置１０８の可変表示が開始される。
【００９７】
可変表示装置１０８においては、左，中，右の各特別図柄のスクロールが、たとえば、左図柄、右図柄、中図柄の順で終了して各図柄が停止表示されることにより、最終的な表示結果が導出表示される。
【００９８】
また、可変表示装置１０８の可変表示中（この場合は、特別可変表示部の可変表示中）においては、リーチ状態（リーチ表示）が発生する場合がある。ここで、リーチとは、表示状態が変化可能な可変表示装置を有し、該可変表示装置が時期を異ならせて複数の表示結果を導出表示し、該複数の表示結果が予め定められた特定の表示態様の組合せとなった場合に、遊技状態が遊技者にとって有利な特定遊技状態となる遊技機において、前記複数の表示結果の一部がまだ導出表示されていない段階で、既に導出表示されている表示結果が前記特定の表示態様の組合せとなる条件を満たしている表示状態をいう。また、別の表現をすれば、リーチとは、表示状態が変化可能な可変表示部を複数有する可変表示装置の表示結果が予め定められた特定の表示態様の組合せになった場合に、遊技状態が遊技者にとって有利な特定遊技状態となる遊技機において、前記可変表示装置の表示結果がまだ導出表示されていない段階で、前記特定の表示態様の組合せが表示されやすい可変表示態様となったと遊技者に思わせるための表示状態をいう。そして、たとえば、前記特定の表示態様の組合せが揃った状態を維持しながら複数の前記可変表示部による可変表示を行なう状態もリーチ表示状態に含まれる。さらにリーチの中には、それが出現すると、通常のリーチに比べて、大当りが発生しやすいものがある。このような特定のリーチをスーパーリーチという。
【００９９】
また、リーチ状態とは、可変表示装置が可変開始された後表示制御が進行して表示結果が導出表示される前段階にまで達した時点でも、前記特定の表示態様となる表示条件から外れていない表示態様をもいう。
【０１００】
また、リーチ状態とは、可変表示装置１０８の表示制御が進行して表示結果が導出表示される前段階にまで達した時点での表示状態であって、前記表示結果が導出表示される以前に決定されている複数の可変表示領域の表示結果の少なくとも一部が前記特定の表示態様となる条件を満たしている場合の表示状態をもいう。
【０１０１】
特別図柄の可変表示装置１０８の表示結果として、組合せ有効列として定められた複数本の有効ラインのうちのいずれかの有効ライン上で同一種類の図柄のゾロ目（たとえば、２，２，２等）が停止表示されると大当りとなる。大当りが発生すれば、ソレノイド１２１の励磁により開閉板１２０が傾動して可変入賞球装置１１９の大入賞口が開口する。これにより、可変入賞球装置１１９が遊技者にとって有利な第１の状態となる。この第１の状態は、所定期間（たとえば３０秒間）の経過または打玉の所定個数（たとえば１０個）の入賞のうちいずれか早い方の条件が成立することにより終了し、遊技者にとって不利な第２の状態となる。大入賞口には、特定領域（Ｖポケット）に入った入賞玉を検出するＶカウントスイッチ１２２と、特定領域以外の通常領域へ入賞した入賞玉を検出するカウントスイッチ１２３とが設けられている。第１の状態となっている可変入賞球装置１１９内に進入した打玉が特定領域（Ｖポケット）に入賞してＶカウントスイッチ１２２により検出されれば、その回の第１の状態が終了するのを待って再度開閉板１２０が開成されて第１の状態となる。この第１の状態の繰返し継続制御は最大１５回まで実行可能であり、繰返し継続制御が実行されている遊技状態を特定遊技状態（大当り状態）という。なお、繰返し継続制御において、可変入賞球装置１１９が第１の状態にされている状態がラウンドと呼ばれる。繰返し継続制御の実行上限回数が１６回の場合には、第１ラウンドから第１６ラウンドまでの１６ラウンド分、可変入賞球装置１１９が第１の状態にされ得る。
【０１０２】
また、特別図柄表示部に表示された大当りの結果が予め定められた確変図柄（本実施形態においては、７，７，７等）のゾロ目により構成されるものである場合には、通常遊技状態に比べて大当りが発生する確率が向上された確率変動状態となる。以下、確変図柄による大当りを確変大当りという。また、確変図柄以外の大当り図柄を非確変図柄（本実施形態においては、偶数図柄等）といい、非確変図柄のゾロ目による大当りを非確変大当りという。確変大当りが発生すると、所定の継続期間だけ、確率変動状態に制御される。また、この期間内に、再度確変大当りが発生した場合には、２回目の確変大当りに伴う特定遊技状態の終了後に、再び確率変動状態となる。
【０１０３】
図１３は、遊技制御における回路構成の一例を示すブロック図である。図１３には、制御基板として、遊技制御基板（主基板ともいう）１３１、払出制御基板１３７、ランプ制御基板１３５、音制御基板１７０、および表示制御基板１８０が示されている。
【０１０４】
払出制御基板１３７、ランプ制御基板１３５、音制御基板１７０および表示制御基板１８０には、マイクロコンピュータ等が搭載されており、たとえば、ＣＰＵ（Ｃｅｎｔｒａｌ　Ｐｒｏｃｅｓｓｉｎｇ　Ｕｎｉｔ　）やＩ／Ｏポートが設けられている。
【０１０５】
払出制御基板１３７には、球払出装置１９７、および、カードユニット１５０が接続される。ランプ制御基板１３５には、枠ランプ１２８ａ，１２８ｂ，１２８ｃ、賞球ランプ１５１、球切れランプ１５２、および、装飾ランプ１２５が接続される。音制御基板１７０にはスピーカ１２７が接続される。
【０１０６】
表示制御基板１８０には、特別図柄表示部１１９として用いられているＬＣＤ表示器が接続されている。
【０１０７】
遊技制御基板１３１には、遊技制御プログラムにしたがってパチンコ遊技機１０１を制御する基本回路（遊技制御用マイクロコンピュータ）１５３と、スイッチ回路１５８と、ソレノイド回路１５９と、情報出力回路１６４と、アドレスデコード回路１６７とが設けられている。
【０１０８】
基本回路１５３は、遊技制御用のマイクロコンピュータであり、遊技制御用のプログラム等を記憶するＲＯＭ（Ｒｅａｄ　Ｏｎｌｙ　Ｍｅｍｏｒｙ）１５４、ワークメモリとして使用されるＲＡＭ（Ｒａｎｄｏｍ　Ａｃｃｅｓｓ　Ｍｅｍｏｒｙ）１５５、制御用のプログラムにしたがって制御動作を行なうＣＰＵ１５６、Ｉ／Ｏポート１５７を含む。基本回路１５３は、定期的（たとえば２ｍｓｅｃごと）にＲＯＭ１５４に記憶されている遊技制御プログラムを先頭から繰返し実行する。
【０１０９】
スイッチ回路１５８は、各種スイッチからの信号を基本回路１５３に与える回路である。スイッチ回路１５８には、ゲートスイッチ１１２、始動口スイッチ１１７、Ｖカウントスイッチ１２２、カウントスイッチ１２３、および、賞球カウントスイッチ３０１Ａ等が接続される。
【０１１０】
情報出力回路１６４は、基本回路１５３から与えられるデータにしたがって、確率変動が生じて確率変動状態となっていることを示す確変情報、大当りが発生し特定遊技状態となっていることを示す大当り情報、および、始動入賞のうち特別図柄表示部９の可変表示に有効に使用される始動入賞の発生を示す始動入賞情報をホール管理コンピュータ等のホストコンピュータに対して出力する回路である。
【０１１１】
ソレノイド回路１５９は、始動用電動役物１１５の可動片を動作させるソレノイド１１６および可変入賞球装置１１９の開閉板１２０を開閉するソレノイド１２１を遊技制御用マイクロコンピュータ１５３からの指令に従って駆動する回路である。
【０１１２】
遊技制御基板１３１から払出制御基板１３７、および表示制御基板１８０には、指令情報の一例となるコマンドが送信される。
【０１１３】
遊技制御基板１３１から払出制御基板１３７に伝送されるコマンドには、賞球の払出制御に関する指令情報としてのコマンドと、貸玉の払出制御に関する指令情報としてのコマンド（たとえば、玉貸し禁止コマンド、玉貸し禁止解除コマンド等）とが含まれる。
【０１１４】
また、遊技制御基板１３１から表示制御基板１８０に伝送されるコマンドは、特別図柄表示部１０９での可変表示制御に関する指令情報として用いられるコマンド等を含む。
【０１１５】
表示制御基板１８０には、遊技制御基板１３１から受信したコマンドにもとづいて、可変表示装置１０８に設けられたＬＣＤ表示器の可変表示制御を行なうとともに、音制御のためのコマンドを音制御基板１７０に送信する制御やランプ制御のためのコマンドをランプ制御基板１３５に送信するコマンド制御も行なう表示制御用マイクロコンピュータ８００が設けられている。この表示制御用マイクロコンピュータ８００は、前述した遊技制御用マイクロコンピュータ１５３と同様の構成を有する他、ＬＣＤ表示器に表示させる画像を生成するための画像表示信号を供給するＶＤＰ（Ｖｉｄｅｏ　Ｄｉｓｐｌａｙ　Ｐｒｏｃｅｓｓｏｒ　）等の画像処理用の構成要素も含んでいる。
【０１１６】
また、表示制御基板１８０では、遊技制御基板１３１から伝送されてきたコマンドを最優先で受信し解析がなされ、かかるコマンドにもとづき対応するランプ制御コマンドおよび音制御コマンドを設定し、ランプ制御コマンドをランプ制御基板１３５へ送信するとともに、音制御コマンドを音制御基板１７０へ送信する。
【０１１７】
このような各種コマンドは、それぞれ１バイトデータからなるＭＯＤＥデータとＥＸＴデータとの２組の２バイトデータから構成されている。ＭＯＤＥデータはたとえば、変動パターンコマンドや、確定図柄指定コマンド等のコマンド種別を示すデータであり、ＥＸＴデータはＭＯＤＥデータにより示されたコマンド種別のうちの特定の表示制御内容を具体的に指定するデータである。
【０１１８】
前述したように、表示制御基板１８０は、遊技制御基板１３１から送信されるコマンドにもとづき、そのコマンドに対応する所定のランプ制御コマンドをランプ制御基板１３５へ出力する。たとえば、表示制御基板１８０において大当り予告を行なうことが決定されたときには、その実行される大当り予告に対応するランプ制御コマンドが表示制御基板１８０からランプ制御基板１３５へ出力される。ランプ制御基板１３５では、前述した遊技制御用マイクロコンピュータ１５３と同様の構成を有するランプ制御用マイクロコンピュータ（図示省略）が設けられており、そのランプ制御用マイクロコンピュータによって、前述したランプ制御コマンドにもとづく上記電気的装飾部品の点灯制御が行なわれる。具体的には、回転ランプ１８１ａ，１８１ｂ，１８１ｃや枠ランプ１２８ａ，１２８ｂ，１２８ｃや装飾ランプ１２５や装飾部材ランプ１７４に用いられている光伝送ロッドに光を供給する発光源ＬＥＤの発光量の調整制御や発光色の切替え制御等が行なわれ、たとえば、図６から図１０を用いて前述した、光伝送ロッドを同一色が占める割合である占有率を変化させる制御や、円状に配置された複数の光伝送ロッドの、それぞれの一端部と他端部に供給する光の色を異ならせ、近設する別個の光伝送ロッドの端部に供給する光の色を同一にし、一の光伝送ロッドの端部に供給される光量が減少したときにかかる端部に近設する端部に供給する光量を増加させるようにし、かつ同一色が一定の占有率を満たしたときにそれぞれの端部に供給する光の色を切替える制御が行なわれる。
【０１１９】
同様に、表示制御基板１８０は、遊技制御基板１３１から送信されるコマンドにもとづき、そのコマンドに対応する所定の音制御コマンドを音制御基板１７０へ出力する。音制御基板１７０では、前述した遊技制御用マイクロコンピュータ１５３と同様の構成を有する音制御用マイクロコンピュータ（図示省略）が設けられており、その音制御用マイクロコンピュータによって、前述した音制御コマンドにもとづいて所定の効果音をスピーカ１２７から出力させる制御が行なわれる。
【０１２０】
基本回路１５３は、始動口スイッチ１１７の検出信号、Ｖカウントスイッチ１２２の検出信号、カウントスイッチ１２３の検出信号にもとづいて、所定個数の景品玉を払出すための賞球信号を払出制御基板１３７に出力する。払出制御基板１３７では、その出力されてきた賞球信号にもとづいて球払出装置１９７を制御して所定個数の景品玉を払出すための制御を行なう。
【０１２１】
具体的には、可変入賞球装置１１９の大入賞口に入賞した入賞玉については１個の入賞玉につきたとえば１５個の景品玉が払出され、始動入賞口１１４に入賞した入賞玉については１個の入賞玉につきたとえば６個の景品玉が払出され、その他の入賞口１２４に入賞した入賞玉については入賞玉１個につきたとえば１０個の景品玉が払出されるように制御される。
【０１２２】
遊技制御基板１３１から払出制御基板１３７に送られた賞球個数信号は、払出制御基板１３７に設けられた払出制御用マイクロコンピュータ（図示省略）により受信される。払出制御用マイクロコンピュータは、球払出装置１９７を駆動して賞球個数信号により特定される個数の賞球を払出す制御を行なう。
【０１２３】
次に、この実施の形態により得られる主な効果をまとめて説明する。
前述したように、近設する光伝送ロッドにおいて、近設する一端部と他端部に光を供給するフルカラーＬＥＤの発光色は同一であり、かつ、一の光伝送ロッドの両端部に光を供給するフルカラーＬＥＤの発光色は互いに異なる色の光が供給されている。さらに、一方の光伝送ロッドの近設する一端部に光を供給するフルカラーＬＥＤの通電時のパルス幅はこの光伝送ロッドの他端部に光を供給するフルカラーＬＥＤの通電時のパルス幅と比較し相対的に短くし、他方の光伝送ロッドの近設する他端部に光を供給するフルカラーＬＥＤの通電時のパルス幅はこの光伝送ロッドの一端部に光を供給するフルカラーＬＥＤの通電時のパルス幅と比較し相対的に長くすることができる。これにより、それぞれの光伝送ロッドにおけるフルカラーＬＥＤから照射される光の色による占有率を変化させることができ、近設する複数の光伝送ロッドにわたって色が回転するような従来にない見た目に新しい光演出を実行することができ、遊技の興趣を向上させることができる。
【０１２４】
前述したように、半円形状の光伝送ロッドの端部同士を近設させることにより円状となるように構成されている遊技機部材であって、一端部に光を供給するフルカラーＬＥＤからの発光色により光伝送ロッドの全体を占める割合が所定占有率となる状態までフルカラーＬＥＤの光量を増加させる制御を行ない、所定占有率が満たされた後に一端部から光を供給するフルカラーＬＥＤからの発光色による発光を停止し、かかる停止した発光色と同じ発光色を他端部から光を供給するフルカラーＬＥＤから発光させる状態に切替えることができる。これにより、連続的に色が回転するような従来にない見た目に新しい光演出を実行することができ、遊技の興趣を向上させることができる。
【０１２５】
前述したように、フルカラーＬＥＤからの光を供給する光伝送ロッドのそれぞれの端部の端面は、遊技機の奥行き方向に向けられている。これにより、複数の光伝送ロッドの近設する隙間を最小限に小さくすることができ、回転光演出を遊技者に視認し易くすることができ、遊技の興趣を向上させることができる。
【０１２６】
前述したように、光伝送ロッドのそれぞれの両端部に光を供給するフルカラーＬＥＤが設けられており、かかるフルカラーＬＥＤから発せられる光量をランプ制御基板により制御することができ、光伝送ロッドの端部から他端部までの間における同一色が占める割合である占有率を変化させることができる。これにより、同一色の占める割合を無段階に調整することができ、枠ランプ・装飾ランプ・装飾部材ランプ等により行なわれる光演出の種類を豊富にすることができ、遊技者を視覚的に楽しませ、遊技の興趣を向上させることができる。
【０１２７】
前述したように、発光源ＬＥＤの光量を所定の光量まで視認できるスピードで徐々に変化させることができる。これにより、光伝送ロッドを同一色が占める割合である占有率を無段階に変化させることができ、かつ、その変化する様子・動きを光演出として遊技者に提供することができ、遊技の興趣を向上させることができる。
【０１２８】
前述したように、光を伝送する特性を有する光伝送ロッドを用いて、遊技機の遊技の進行に合わせて点灯・点滅等させることにより光演出を行なうことができる。これにより、光伝送ロッドの片端または両端に光を入射させるための発光源を設けるだけで、端部から入射した光を相対する端部まで伝送されるため、従来のような散在させたランプを点灯・点滅等させることにより行なわれる光演出と比較し、より広範囲にわたり連続的な光を放射させることができ、遊技者の視覚を刺激し、興趣を向上させることができる。また、設置する発光源の数・消費電力等を低減することができるため、生産コストを低下させることができる。
【０１２９】
前述したように、光伝送ロッドの一方の外周面にローレット掛けを施し、かつ、非加工外周面を遊技者に向け配置させている。これにより、遊技者からは見えない光伝送ロッドの反対外周面から放射されるはずの光の進行方向が遊技者に向かってくるような進行方向に変更されるため、強い光を遊技者に向けて放射することができ、遊技者に強い印象を持たせることができる。
【０１３０】
前述したように、ローレット掛けは、光伝送ロッドの一方の外周面側を被加工物により切欠ことにより施されている。これにより、被加工物を変更することにより、放射光の光量・輝度や放射範囲を調整することができ、様々な光演出を実現させることができ、光演出の種類を豊富にすることができる。
【０１３１】
前述したように、光伝送ロッドの断面形状が正円となる光伝送ロッドを使用している。これにより、角部が存在しないため光の境目を発生させてしまうことを未然に防止することができる。また、円形特有の屈折率により放射光を収束・拡散することにより広範囲に放射できるようにすることができる。
【０１３２】
前述したように、遊技機の枠ランプ１２８，回転ランプ１８１や遊技盤の盤面部材である装飾ランプ１２５，装飾部材ランプ１７４に光伝送ロッドを用いている。これにより、遊技の演出に応じて光演出を広範囲にわたり放射させることができ、よりダイナミックな光演出を遊技演出の一部として盛り込むことにより遊技者の興趣を向上させることができる。さらに、前者の場合は、遊技者のみでなく周囲の人にも光演出を見せることができ、光により遊技機の演出だけでなく遊技場における島の演出を行なうこともでき、後者の場合は、遊技者にとって近い位置に備えられるため、光演出をより視認しやすいものとすることができる。
【０１３３】
第２実施形態
次に、第２実施形態を説明する。前述した第１実施形態では、ローレット掛けが施された円状または円弧状の光伝送ロッドを用いて、パチンコ遊技機に配置させ、占有率や照射光の色を変化させる光演出と、かかる光伝送ロッドを複数用い端部同士を近設させ円状になるように配置し、複数の光伝送ロッドにまたがって占有率を変化させることによる行なわれる回転光演出について説明した。この第２実施形態においては、渦巻き状または螺旋状に形成された光伝送ロッドをスロットマシンやパチンコ球に用いスロットマシン占有率を変化させることにより、回転光演出を実行できる例について説明する。
【０１３４】
図１４は、ローレット掛けの施された渦巻き形状の光伝送ロッドを用いて光演出を実行する遊技機部材の一例について説明するための図である。
【０１３５】
図１４（ａ）は、本実施形態で用いる遊技機部材７０の構成を説明するための正面図であり、図１４（ｂ）は遊技機部材７０の上面図、図１４（ｃ）は遊技機部材７０の右側面図である。遊技機部材７０は、渦巻き形状に形成された光伝送ロッド７１と、光を供給するフルカラーＬＥＤ７２ａ，７２ｂと、かかるフルカラーＬＥＤ７２ａ，７２ｂからの光を無駄なく光伝送ロッド７１に供給可能にするために介在し、発光源の発光部と光伝送ロッドの端部との間の空間を覆う中空状に形成された連結部材７３と、これら組み立てたものを一体として遊技機に取り付けるための取付板（図示省略，図４参照）から構成されている。なお、フルカラーＬＥＤ７２ａは渦巻き形状の光伝送ロッド７１の外側の一端部７１’に光を供給し、フルカラーＬＥＤ７２ｂは渦巻き形状の光伝送ロッド７１の内側の他端部７１”にフルカラーＬＥＤ７２ａの発光色とは異なる色の光を供給できる構成となっており、フルカラーＬＥＤ７２ａ，７２ｂからの光量と発光色を変化させることにより、同一色の光が光伝送ロッド７１を占める割合を変化させることができる（図６等参照）。なお、かかる遊技機部材７０における光伝送ロッド７１も、図４を用いて説明した加工外周面が設けられており、遊技機部材７０の裏側にかかる加工外周面を向け、非加工外周面を正面側に向くように配置させているため、それぞれの光伝送ロッドから強い光を放射させるとともに、レンズ効果により光を収束・拡散されるため、視覚を通じて遊技者により強い光を認識させることができる。
【０１３６】
図１５は、遊技機部材７０の渦巻き形状の光伝送ロッド７１の両端部７１’，７１”に設けられているフルカラーＬＥＤ７２ａ，７２ｂへ通電するときのパルス幅を変化させ、それぞれの光伝送ロッド７１を同一色の占める割合の変化を説明するための図である。なお、本実施形態におけるフルカラーＬＥＤ７２ａ，７２ｂは、緑色と赤色の光を入射させ、さらに、フルカラーＬＥＤ７２ａ，７２ｂから供給される光の色の占める割合によって、緑色と赤色を切替えるものとする。なお、図中の塗りつぶし部分は赤色の光の照射を表わしている。また、フルカラーＬＥＤ７２ａ，７２ｂからの各色の光量は、図７において説明した通電時のパルス幅を変化させることにより調整を行なうものであり、ここでは図中のパルス幅で通電が行なわれたものとする。たとえば、図１５（ａ）のフルカラーＬＥＤ７２ｂであれば、「赤１６」の書き込みから、１６ｍｓｅｃで通電を行ない赤色の光を照射するものとする。さらに、フルカラーＬＥＤ７２ａ，７２ｂは、赤色・緑色以外の光を照射させるものであってもよく、また、色の異なる発光源ＬＥＤをそれぞれ設けるようにしてもよい。
【０１３７】
図１５（ａ）は、フルカラーＬＥＤ７２ｂにより１６ｍｓｅｃで通電時の赤色の光が光伝送ロッド７１の一端部７１”に供給され、フルカラーＬＥＤ７２ａに対しては通電が行なわれていないときの光伝送ロッド７１の各色の占有率状態である。光伝送ロッド７１は赤色の光により全体が占有されている。
【０１３８】
図１５（ｂ）は、フルカラーＬＥＤ７２ａにより１０ｍｓｅｃで通電時の赤色の光が光伝送ロッド７１の一端部７１’に供給され、フルカラーＬＥＤ７２ｂにより６ｍｓｅｃで通電時の緑色の光が光伝送ロッド７１の他端部７１”に供給されたときの光伝送ロッド７１の各色の占有率状態である。光伝送ロッド７１は赤色の光により約８割程度占められ、緑色の光によって約２割程度占有されている。なお、図１５（ａ）では、光伝送ロッド７１のそれぞれが、赤色の光により全体が占有されたため、その瞬間にフルカラーＬＥＤ７２ａ，７２ｂから照射される光の色が切替えられ、緑色を照射していたフルカラーＬＥＤ７２ａは赤色に、赤色を照射していたフルカラーＬＥＤ７２ｂは緑色にそれぞれ切替えられている。
【０１３９】
図１５（ｃ）は、フルカラーＬＥＤ７２ａにより４ｍｓｅｃで通電時の赤色の光が光伝送ロッド７１の一端部７１’に供給され、フルカラーＬＥＤ７２ｂにより１２ｍｓｅｃで通電時の緑色の光が光伝送ロッド７１の他端部７１”に供給されたときの光伝送ロッド７１の各色の占有率状態である。光伝送ロッド７１は緑色の光により約７割程度占められ、赤色の光によって約３割程度占有されている。なお、図１５（ｂ）と比較して、光伝送ロッド７１における緑色の占有率は増加し、赤色の占有率は減少している。
【０１４０】
図１５（ｄ）は、フルカラーＬＥＤ７２ｂにより１６ｍｓｅｃで通電時の緑色の光が光伝送ロッド７１の一端部７１’に供給され、フルカラーＬＥＤ７２ａに対しては通電が行なわれていないときの光伝送ロッド７１の各色の占有率状態である。光伝送ロッド７１は緑色の光により全体が占有されている。これにより、図１５（ｂ）で説明したと同様に、フルカラーＬＥＤ７２ａ，７２ｂから照射される光の色が切替えられる。
【０１４１】
図１５（ｅ）は、フルカラーＬＥＤ７２ａにより１０ｍｓｅｃで通電時の緑色の光が光伝送ロッド７１の一端部７１’に供給され、フルカラーＬＥＤ７２ｂにより６ｍｓｅｃで通電時の赤色の光が光伝送ロッド７１の他端部７１”に供給されたときの光伝送ロッド７１の各色の占有率状態である。光伝送ロッド７１は赤色の光により約２割程度占められ、緑色の光によって約８割程度占有されている。
【０１４２】
図１５（ｆ）は、フルカラーＬＥＤ７２ａにより４ｍｓｅｃで通電時の緑色の光が光伝送ロッド７１の一端部７１’に供給され、フルカラーＬＥＤ７２ｂにより１２ｍｓｅｃで通電時の赤色の光が光伝送ロッド７１の他端部７１”に供給されたときの光伝送ロッド７１の各色の占有率状態である。光伝送ロッド７１は赤色の光により約７割程度占められ、緑色の光によって約３割程度占有されている。なお、図１５（ｅ）と比較して、光伝送ロッド７１における赤色の占有率は増加し、緑色の占有率は減少している。
【０１４３】
以上のように、光伝送ロッド７１の両端部７１’，７１”に異なる色の光を入射させるとともに、各端部側に設けられているフルカラーＬＥＤ７２ａ，７２ｂに１サイクル（１６ｍｓｅｃ）の間に通電するパルス幅を相対的に変化させ同一色の占める占有率を変化させることができる。さらに、フルカラーＬＥＤ７２ａ，７２ｂからの発光色は、同一色が占める占有率により、照射する光の色を切替えることができる。本実施形態においては、同一色が占める占有率が１００パーセントになったときに切替えている。これらより、赤色または緑色の光が、それぞれの光伝送ロッドにおける占有率を変化させることにより、他端部７２ｂに供給される光の色により回転しているような、光伝送ロッド７１の中心からかかる光の色が広がっていくような、従来にない見た目に新しい回転光演出を行なうことができ、遊技の興趣を向上させることができる。また、かかる回転光演出における回転スピードは、図８を用いて前述したように単位時間あたりのパルス幅を徐々に変化させることにより、占有率が変化するスピードを調整できることを利用し、高速回転演出や低速回転演出を自由自在に行なうことができる。
【０１４４】
なお、本実施形態においては、渦巻き形状の光伝送ロッド７１の中心に位置する他端部７１”に供給するフルカラーＬＥＤ７２ｂのパルス幅を視認できるスピードで徐々に長くし、渦巻き形状の外側に位置する一端部７１’に供給するフルカラーＬＥＤ７２ａのパルス幅を視認できるスピードで徐々に短くする例について説明したが、一端部７１’に供給するフルカラーＬＥＤ７２ａのパルス幅を徐々に長くし、他端部７１”に供給するフルカラーＬＥＤ７２ｂのパルス幅を徐々に短くするように制御してもよい。これにより、一端部７２ａに供給される光の色により回転しているような、光伝送ロッド７１の中心に向かってかかる光の色が吸い込まれていくような、従来にない見た目に新しい回転光演出を行なうことができ、遊技の興趣を向上させることができる。
【０１４５】
図１６は、スロットマシン２０１の全体正面図である。スロットマシン２０１の前面扉２０２は、施錠装置２５３の鍵穴に挿入した所定のキーを時計回り方向に回動操作することにより開放させることが可能になる。かかる前面扉２０２は、上部前面飾り枠２０８と下部前面飾り枠２０９とが設けられている。
【０１４６】
上部前面飾り枠２０８は、遊技効果ランプ部２３０ａ〜２３０ｅおよび入賞図柄説明表示パネル２０５が設けられた上段部分と、遊技パネル２０６や各種表示部が設けられた略楕円型の中段部分と、遊技パネル２０６の下部から前面側に突出して形成され、メダル投入部２５１や各種操作ボタン２４３〜２４６、２４１Ｌ，２４１Ｃ，２４１Ｒ、スタートレバー２４２等が設けられた下段部分とからなる。
【０１４７】
入賞図柄説明表示パネル２０５には、演出用の枠ランプ２７１ａ，２７１ｂ，２７１ｃが設けられている。この枠ランプ２７１ａ，２７１ｂ，２７１ｃは、前述した渦巻き形状の光伝送ロッドとフルカラーＬＥＤとこれらを組み合わせる連結部材から構成されており（図１４等参照）、遊技状態に合わせて演出用の光が発せられる。光伝送ロッドの一端部から他端部までを同一色が占める割合である占有率を変化させることにより、渦巻き形状の外側に位置する端部から光を供給するフルカラーＬＥＤの光量を視認できるスピードで徐々に増加させ内側に位置する端部から光を供給するフルカラーＬＥＤの光量を視認できるスピードで徐々に減少させたときには、渦巻きに吸い込まれるような回転光演出を、また、渦巻き形状の内側に位置する端部から光を供給するフルカラーＬＥＤの光量を視認できるスピードで徐々に増加させ内側に位置する端部から光を供給するフルカラーＬＥＤの光量を視認できるスピードで徐々に減少させたときには、渦巻きの外側に放出されるような回転光演出を遊技者に提供することができ、遊技の興趣をさらに向上させることができる。たとえば、通常時は渦巻きの外側に放出されるような回転光演出が行なわれており、内部抽選によりビッグボーナスとなることが確定したときに、渦巻きの内側に吸い込まれるような回転光演出を行なうことができる。これにより、ビッグボーナスが確定していることを光演出として遊技者に報知することができる。また、ビッグボーナスとなる可能性が高いことを回転光演出の回転速度により報知することもできる。
【０１４８】
また、本実施形態においては、非加工外周面を遊技者側に向くように配置させているため、それぞれの光伝送ロッドから強い光を放射させるとともに、円形特有の屈折率により放射光を収束・拡散することにより広範囲に放射させることにより、視覚を通じて遊技者により強い光を認識させることができる。そのため、遊技者に対し、常に注意を向けさせることができる。
【０１４９】
さらに、かかる枠ランプ２７１ａ，２７１ｂ，２７１ｃの周囲には、前述した遊技効果ランプ部２３０ａ〜２３０ｅと、右斜め下部遊技効果ランプ部２３３と、左斜め下部遊技効果ランプ部２３４とが設けられている。これにより、枠ランプ２７１ａ，２７１ｂ，２７１ｃから広い範囲にわたる強い光を放射させ、それを周囲から引き立たせるように各遊技効果ランプから単光を放射させることができるため、光にメリハリが生じ光り演出効果を高めることができる。
【０１５０】
下部前面飾り枠２０９の下方には、遊技媒体の一例となるメダルが払出されるメダル払出穴２５４と前述した下部スピーカ部２５９とが形成されている。また、スタートレバー２４２の左斜め下には左斜め下部遊技効果ランプ部２３６が設けられ、メダル詰まり解除ボタン２４６の右斜め下には右斜め下部遊技効果ランプ部２３５が設けられている。
【０１５１】
遊技パネル２０６には、スロットマシン２０１の本体側に設けられた左リール２０４Ｌ，中リール２０４Ｃ，右リール２０４Ｒと、各リール間に設けられている装飾光伝送ロッド２７２，２７３を透視可能な透視窓２４０と、透視窓２４０の上方に位置する小役告知表示部２２４，２２５，２２６と、透視窓２４０の左側に位置する１枚賭け表示部２２１、２枚賭け表示部２２２ａ，２２２ｂ、および３枚賭け表示部２２３ａ，２２３ｂと、透視窓２４０の右側に位置するゲームオーバー表示部２１４、リプレイ表示部２１５、ウエイト表示部２１６、スタート表示部２１７、および投入指示表示部（インサートメダル表示部ともいう。）２１８と、透視窓２４０の下側に位置するクレジット表示部２１１、ゲーム回数表示部２１２、およびペイアウト表示部２１３とが設けられている。
【０１５２】
また、前述した透視窓２４０の左側に演出ランプ２９１ａ，上側に演出ランプ２９１ｂ，右側に演出ランプ２９１ｃ，下側に演出ランプ２９１ｄが設けられている。この演出ランプ２９１ａ，２９１ｂ，２９１ｃ，２９１ｄは、それぞれ前述した円弧形状の光伝送ロッドとフルカラーＬＥＤとこれらを組み合わせる連結部材からなり、円弧形状の光伝送ロッドの端部と端部を近設して配置することにより環状となるように構成されており（図９等参照）、遊技状態に合わせて複数の円弧形状の光伝送ロッドにまたがって回転しているような光演出が行なわれる。これにより、リール２０４Ｌ，２０４Ｃ，２０４Ｒの回転に合わせて、かかる演出ランプ２９１ａ，２９１ｂ，２９１ｃ，２９１ｄにまたがって光の色を回転させることができるため、遊技の興趣を向上させることができる。たとえば、左リール２０４Ｌに付された大当り図柄が透視窓２４０にスクロールしてくるタイミングに合わせて、かかる演出ランプ２９１ａ，２９１ｂ，２９１ｃ，２９１ｄを緑色の光により回転させるような演出が行なわれ、中リール２０４Ｃに付された大当り図柄が透視窓２４０にスクロールしてくるタイミングに合わせて青色の光を、また右リール２０４Ｒに付された大当り図柄が透視窓２４０にスクロールしてくるタイミングに合わせて赤色の光をそれぞれ回転させる演出を行なうようにしてもよい。遊技者にとって、リールの動きと演出ランプ２９１ａ，２９１ｂ，２９１ｃ，２９１ｄによる回転光演出を同時に楽しむことができ、かつかかる回転光演出により大当り図柄もしくは大当り図柄付近の図柄を透視窓２４０内に停止させることができる。
【０１５３】
次に、装飾光伝送ロッド２７２，２７３は、各々、前述した光伝送ロッドと発光源とこれらを組み合わせる連結部材（図４等参照）から構成されており、外周面を剥き出し状態で配置され、各リール２０４Ｌ，２０４Ｃ，２０４Ｒの回転や出目に対応させ様々な演出用の光が発せられる。本実施形態においては、非加工外周面を遊技者側に向くように配置させているため、それぞれの光伝送ロッドから強い光を放射させるとともに、レンズ効果により、放射される光が収束・拡散するため、視覚を通じて遊技者により強い光を認識させることができる。さらに、かかる遊技者側から見える部分における光伝送ロッドの形状は、各リール２０４Ｌ，２０４Ｃ，２０４Ｒと同様に、円となるように配置されている。これにより、リールの上段部分付近の光伝送ロッド外周面から斜め上前方方向に、リールの中段部分付近の光伝送ロッド外周面から水平前方方向に、リールの下段部分付近の光伝送ロッド外周面から斜め下前方方向に、それぞれ光が放射されるため、垂直方向においても広範囲に光を放射することができ、遊技に集中させることができる。
【０１５４】
また、光伝送ロッドの一端部から他端部までを同一色が占める割合である占有率を変化させることができるため、強い光により無段階に調整可能な光演出を遊技者に提供することができ、遊技の興趣をさらに向上させることができる。たとえば、赤色の７，緑色の７，青色の７が大当り図柄として決められており、同色の７が３つ揃いになれば大当りとなるスロットマシンであるとし、さらに、光伝送ロッドの上側端部にフルカラーＬＥＤを、光伝送ロッドの下側端部には緑ＬＥＤをそれぞれ配置させたとする。この場合には、赤７・緑７・青７を停止させることのできるタイミングに合わせて、フルカラーＬＥＤから照射される光の色を赤・緑・青と変化させ、かつ、リールの回転に合わせて占有率を変化させるような光演出を実行することができる。たとえば、リール回転駆動中において、赤色の７が透視窓２４０内に回転移動してきた場合に装飾光伝送ロッドの発光色を赤色に、青色の「ＢＡＲ」が回転移動してきた場合に発光色を青色にする変化させ、かつ、その回転に合わせて、その変化させた光の色の占有率をも変化させる光演出を遊技者に提供することができる。これにより、回転駆動中に強い光を放射させることにより行なわれる光演出を楽しみながら、さらに、遊技者はその占有率や色が変化する光演出を見ることにより容易に希望する停止図柄の配置付近の図柄を停止させることができるため、遊技の興趣を向上させることができる。
【０１５５】
なお、装飾光伝送ロッド２７２，２７３は、各リール２０４Ｌ，２０４Ｃ，２０４Ｒと別個独立に本体に固定させてもよいし、各リールの側縁部に設けリールが駆動することにより装飾光伝送ロッドも回転駆動するようにしてもよい。
【０１５６】
また、かかる装飾光伝送ロッド２７２，２７３の周囲には、前述した右斜め上部遊技効果ランプ部２３３と、左斜め上部遊技効果ランプ部２３４と、右部遊技効果ランプ部２３１ａ，２３１ｂと、左部遊技効果ランプ部２３２ａ，２３２ｂとが設けられている。これにより、枠ランプ２７１ａ，２７１ｂ，２７１ｃについて前述したと同様の効果を奏することができる。
【０１５７】
なお、遊技は、メダルをメダル投入部２５１に入れることにより、または、クレジットがあるときはＢＥＴボタン２４３，２４４を操作することにより、賭数を設定した後、スタートレバー２４２を操作することにより各リール２０４Ｌ，２０４Ｃ，２０４Ｒが一斉に回転を始め、遊技が開始される。遊技が開始された後、回転しているリールを停止させる際に、各ストップボタン２４１Ｌ，２４１Ｃ，２４１Ｒを操作する。また、操作がなされなかったときでも、所定の変動時間が経過した後に各リール２０４Ｌ，２０４Ｃ，２０４Ｒが、たとえば２０４Ｌ，２０４Ｃ，２０４Ｒの優先順序で自動的に順次停止し、各ストップボタン２４１Ｌ，２４１Ｃ，２４１Ｒに設けられた操作有効ランプが４１０Ｌ，４１０Ｃ，４１０Ｒの順序で消灯する。
【０１５８】
すべてのリール２０４Ｌ，２０４Ｃ，２０４Ｒが停止した時点で、透視窓２４０から視認される各リール２０４Ｌ，２０４Ｃ，２０４Ｒの上段、中段、下段の３段の図柄のうち、賭数に応じて定められる有効な入賞ライン上に位置する図柄の組合わせによって入賞の有無が決定される。賭数が１の場合には、可変表示部における中段の横１列の入賞ラインのみが有効ラインとなる。賭数が２の場合には、可変表示部における上段、中段、下段の横３列の入賞ラインが有効ラインとなる。賭数が３の場合には、可変表示部における横３列と斜め対角線上２列の合計５本の入賞ラインが有効ラインとなる。
【０１５９】
有効ライン上における図柄の組合わせが予め定められた特定の表示態様（たとえば、「ベル」の３つ揃い、「７」の３つ揃い等）となって入賞（たとえば、ビッグボーナス入賞、子役入賞）が発生した場合には、光伝送ロッドを用いた枠ランプ２７１と装飾光伝送ロッド２７２，２７３を含む各種遊技効果ランプ部が所定の態様で点滅するとともにスピーカから効果音が出力され、効果的な演出がなされる。そして、入賞に応じた数のメダルがクレジットとして払出されてクレジット表示部２１１のクレジット数が加算更新される。また、ペイアウト表示部２１３には、その払出数が表示される。なお、クレジット数が上限（＝５０）に達した場合には、直接、メダルがメダル払出穴２５４から払出される。
【０１６０】
以上、図１６を用いて、メダルを遊技媒体とするスロットマシンにローレット掛けを施した光伝送ロッドを用い、強い光を放射させることにより光演出を行なう例について説明したが、これに限らず、パチンコ球を遊技媒体とするスロットマシン（以下、パチンコ球を用いたスロットマシンという）であってもよく、同様の光演出効果を奏することができる。
【０１６１】
パチンコ球を用いたスロットマシンは、スイッチ操作により所定数のパチンコ球を遊技に賭けさせ、その遊技の結果に応じて予め定められた数のパチンコ球を払い出す形式の遊技機である。よって、前述したスロットマシンとほぼ同じ構造となっているが、パチンコ球を遊技媒体とするため、前面扉の下部前面飾り枠の上側には賞球排出口から排出された賞球を貯留しながら取込口方向に導く供給皿と、下段部のさらに下側には供給皿から溢れたパチンコ球を貯留する余剰玉受皿がそれぞれ設けられている。
【０１６２】
なお、遊技は、ＢＥＴボタンを操作することにより、供給皿に貯留されているパチンコ球が取り込まれ、賭数が設定された後に、スタートレバーを操作することにより各リールが一斉に回転を始め、遊技が開始される。遊技内容は、スロットマシンの遊技内容とほぼ同一となるため、説明を省略する。
【０１６３】
次に、この実施の形態により得られる主な効果をまとめて説明する。
前述したように、渦巻き形状の光伝送ロッドであって、一端部から光を供給するフルカラーＬＥＤの光量を視認できるスピードで徐々に増加させ、他端部から光を供給するフルカラーＬＥＤの光量を視認できるスピードで徐々に減少させることにより、回転光演出を実行することができる。これにより、色が回転するような従来にない見た目に新しい光演出を実行することができ、遊技の興趣を向上させることができる。
【０１６４】
また、以上に示した第２実施形態については、前述した第１実施形態と共通する技術思想による構成について、前述した第１実施形態の場合と同様の技術的効果を得ることができる。
【０１６５】
次に、以上説明した実施の形態の変形例や特徴点を以下に列挙する。
（１）　前述した実施形態においては、円弧形状・半円形状・渦巻き形状の光伝送ロッドを同一色が占める割合である占有率が１００パーセントになったときに、光伝送ロッドの端部から光を供給している発光源ＬＥＤの発光色を切替える制御により、連続的な回転光演出を実行する例について説明したが、所定の占有率は任意に設定できるものであるためこれに限るものではない。図１７，図１８は、遊技機部材の半円形状の光伝送ロッドのうち所定占有率として５０パーセントを満たしたときに、光伝送ロッドの端部から光を供給するフルカラーＬＥＤの発光色を切替える制御を行なう例について説明するための図である。なお、光伝送ロッドや発光源ＬＥＤの組合せ等に関しては、図９，図１０と同様であるため説明を省略する。図１７は、光伝送ロッドの全体のうち赤色または緑色により５０パーセント占有されたときに、赤色の光を照射していたフルカラーＬＥＤは緑色の光を照射できるように、緑色の光を照射していたフルカラーＬＥＤは赤色の光を照射できるようにそれぞれ切替え制御が行なわれる。これにより、複数の光伝送ロッドにまたがって、赤色の光と緑色の光により回転光演出が行われる。図１８は、光伝送ロッドの全体のうち赤色・緑色・青色・黄色のいずれかにより５０パーセント占有されたときに、赤色の光を照射していたフルカラーＬＥＤは黄色の光を照射できるように、緑色の光を照射していたフルカラーＬＥＤは赤色の光を照射できるように、青色の光を照射していたフルカラーＬＥＤは緑色の光を照射できるように、黄色の光を照射していたフルカラーＬＥＤは青色の光を照射できるようにそれぞれ切替え制御が行なわれる。これにより、複数色により回転光演出を実行することができ、遊技の興趣を向上させることができる。
【０１６６】
（２）　前述した第２実施形態においては、渦巻き形状の光伝送ロッドを用い、占有率を変化させることにより、平面的な回転光演出を行なう例について説明したが、これに限らず、螺旋形状の光伝送ロッドを用い、占有率を変化させることにより、立体的な回転光演出を行なってもよい。図１９は、ローレット掛けの施された螺旋形状の光伝送ロッドを用いて光演出を実行する遊技機部材の一例を説明するための図である。図１９（ａ）は、本実施形態で用いる遊技機部材８０の構成を説明するための正面図であり、図１９（ｂ）は遊技機部材８０の上面図である。遊技機部材８０は、渦巻き形状に形成された光伝送ロッド８１と、光を供給するフルカラーＬＥＤ８２ａ，８２ｂと、かかるフルカラーＬＥＤ８２ａ，８２ｂからの光を無駄なく光伝送ロッド８１に供給可能にするために介在し、発光源の発光部と光伝送ロッドの端部との間の空間を覆う中空状に形成された連結部材８３と、これら組み立てたものを一体として遊技機に取り付けるための取付板（図示省略，図４参照）から構成されている。なお、フルカラーＬＥＤ８２ａとフルカラーＬＥＤ８２ｂはそれぞれ異なる色の光を供給できる構成となっており、フルカラーＬＥＤ８２ａ，８２ｂからの光量と発光色を変化させることにより、同一色の光が光伝送ロッド８１を占める割合を変化させることができる（図６等参照）。これにより、たとえば、フルカラーＬＥＤ８２ｂから供給された光の色の占有率が他端部側に回転しながら上昇していくような立体的な回転光演出を実行することができる。また、螺旋形状の中心は空状態となるため、遊技者により打ち出された遊技球等を通過させることができ、その通過に伴い立体的な回転光演出を実行することもできる。これにより、遊技の興趣を向上させることができる。なお、かかる遊技機部材８０における光伝送ロッド８１も、図４を用いて説明した加工外周面（図１９の太点線部分）が光伝送ロッド８１の螺旋をなす中心方向に向くように設けられており、非加工外周面を正面側に向くように配置させているため、それぞれの光伝送ロッドから強い光を放射させるとともに、レンズ効果により光を収束・拡散されるため、視覚を通じて遊技者により強い光を認識させることができる。
【０１６７】
（３）　前述した実施形態においては、回転光演出を行なうにあたり一の光伝送ロッドの両端に対して、それぞれ１個の連結管を介し１個のフルカラーＬＥＤを設置し、光を供給する実施形態について説明したが、これに限らず、１個の連結管に３色の発光源を取付可能にし、３色の発光源から照射される光を１本の光伝送ロッドに供給するように連結部材を構成させてもよい。図２０は連結部材５０の一例であり、（ａ）は側面図、（ｂ）は連結部材５０の上面図である。これにより、１本の光伝送ロッドでありながら、発光させる発光源を組合わせることにより、放射光の色を自在に変化させ遊技状態に適合した色を放射させることができるため、切欠態様により光量・輝度、放射範囲を調整できることに加え発光色をも調整できるため、遊技に対する興趣をさらに向上させることができる。なお、かかる発光源を発光させる制御は、遊技の進行なお制御する遊技制御手段や、遊技の演出を制御する演出制御手段で制御するようにしてもよい。また、１本の光伝送ロッドに限らず複数本でもよく、３色の発光源に限らず２色でもそれ以上の複数色でもよい。
【０１６８】
（４）　前述した実施形態においては、赤色の光を照射する赤ＬＥＤ，緑色の光を照射する緑ＬＥＤ，複数色の光を照射できるフルカラーＬＥＤを連結部材を介し、光伝送ロッドの端部に光を供給し、それぞれ入射された光の色による占有率を変化させ回転光演出を行なう例について説明したが、これらの色の発光源ＬＥＤに限らず、光伝送ロッドの一端部に設けられている発光源ＬＥＤの発光色と他端部に設けられている発光源ＬＥＤの発光色とを異ならせていれば、他のどのような色の光を発する発光源ＬＥＤであってもよい。ただし、色相が互いに似ているいわゆる隣接する色相の関係色や類似する色相の関係色、または、色相が異なるいわゆる中差色相色，対象色相色，補色色相色の関係にある発光源ＬＥＤを光伝送ロッドの端部に設けたときには、占有率の境目をより分かりやすく遊技者に認識させることができる。特に、中差色相色や対象色相色や補色色相色の関係にある発光源ＬＥＤを用いたときには、互いの色が調和し難く、かつ、占有率の境目ではぎらつき効果を発揮させることができるため、占有率の変化状態を遊技者により明確に認識させることができる。たとえば、赤色とシアン色，緑色とマジェンタ色，青色と黄色が上記の補色色相色に該当する。
【０１６９】
（５）　前述した実施形態においては、発光源ＬＥＤへ通電するときのパルス幅を変化させ、光伝送ロッドの占有率を変化させ、回転光演出を実行する例について説明したが、これに限らず、図２１のようにパルス幅を一定にしサイクル数を変化させることにより占有率を変化させ回転光演出を行なってもよく、また、図２２のように発光源ＬＥＤに供給する電圧を変化させることにより占有率を変化させ回転光演出を行なうようにしてもよい。図２１は、１サイクルあたりのパルス幅を０．８ｍｓｅｃに統一しておき、光量を強くするときはサイクル数を増やし、光量を弱くするときはサイクル数を減らすことにより前述した光伝送ロッドの同一色による占有率を変化させることができる。図２１（ａ）は通電を１６サイクル繰り返したときの図であり、図２１（ｂ）は１サイクルのパルス幅を示した図である。なお、図２１（ａ’）から（ｇ’）は、図６（ａ’）から（ｇ’）と同程度の通電となるため、図６（ａ）から（ｇ）を用いて説明した光伝送ロッドの占有率の変化と同程度に変化させることができる。図２２は、通電時の電圧を高くすることにより光量を強くし、通電時の電圧を低くすることにより光量を弱くすることができ、前述した光伝送ロッドの同一色による占有率を変化させることができる。なお、図２２（ａ’）から（ｇ’）は、図６（ａ’）から（ｇ’）と同程度の通電となるため、図６（ａ）から（ｇ）を用いて説明した光伝送ロッドの占有率の変化と同程度に変化させることができる。図７，図８についても同様である。
【０１７０】
（６）　前述した実施形態においては、可変表示装置１０８の装飾部材には、装飾部材ランプ１７４を配置させ、占有率を変化させ、回転光演出を行なう例について説明したが、これに限らず、特別図柄表示部１０９を囲むように全方向に光伝送ロッドを配置させてもよい。図２３は、特別図柄表示部を囲むように複数の光伝送ロッドを配置させ、かつ、上方と左右に配置されている光伝送ロッドはそれぞれ遊技機の奥行き方向に段状にずらして配置されている可変表示装置を説明するための図である。これにより、装飾部材ランプ１７４による回転光演出と遠近感のある光演出を遊技者に提供することができ、遊技の興趣を向上させることができる。また、特別図柄表示部１０９により行なわれる可変表示演出と、特別図柄表示部１０９を囲むように配置されている光伝送ロッドから照射される光演出を遊技者側に提供することができるため、相互間にコントラストを付けることができ、従来にない演出効果を遊技者に提供することができる。
【０１７１】
（７）　前述した実施形態においては、光伝送ロッドの端部に光を供給する発光源としてＬＥＤを用いた例について説明したが、これに限らず、賞球ランプ１５１，球切れランプ１５２，遊技効果ランプ２３０ａ〜２３０ｅ等に用いられているランプを用いて、光伝送ロッドの端部に光を供給するようにしてもよい。これにより、１種類のランプを用意することで弾球遊技機およびスロットマシンを製造することができ、大量に仕入れることができコストダウンを図ることができる。また、組み立て時においても、ＬＥＤとランプを間違えることを防止することができるため、組み付け作業の能率を向上させることができる。
【０１７２】
（８）　前述した実施形態では、音制御基板１７０と、ランプ制御基板１３５とがそれぞれ表示制御基板１８０から与えられるコマンドに応じて制御動作を行なう例を示した。しかし、これに限らず、音制御基板１７０とランプ制御基板１３５とは、それぞれ遊技制御基板１３１から直接的に与えられる制御コマンドを受けて制御動作をするようにしてもよい。
【０１７３】
（９）　前述した実施形態においては、光伝送ロッドの一方の外周面にローレット掛けを施し、かつ、非加工外周面を遊技者に向けて配置する例について説明したが、これに限らず、加工外周面を遊技者に向け配置させるようにしてもよい。これにより、遊技者側に放射されるはずの光の進行方向が光伝送ロッドの反対外周面から放射されるため、直接的に遊技者側に放射される光量を低減することができる。また、光伝送ロッドの反対外周面から強い光が放射されるため、遊技者にとって従来にない間接照明的な光演出を実現することができる。
【０１７４】
（１０）　前述した実施形態においては、ローレット掛けを施すことにより、加工面に衝突した光の進行方向を変更する光路変更部を光伝送ロッドの外周面に形成させる実施について説明したが、これに限らず、光伝送ロッドの生産段階において、光路変更部をあらかじめ形成するものであってもよい。凹凸した面に衝突した光の進行方向を変更するようなものであれば、同様の効果を奏することができる。
【０１７５】
（１１）　前述した実施形態においては、ローレット掛けを施すときに開角９０°Ｖ字の加工部を有する被加工物を用いたが、これに限らず、Ｕ字の加工部やコ字の加工部（図２４参照）を有する被加工物を用い、光伝送ロッドの外周面にローレット掛けを施すようにしてもよい。切欠の形状により、放射される光量・輝度、放射範囲を微妙に異ならせることができるため、光演出の演出パターンを豊富にすることができる。また、これら複数種類の切欠を、一本の光伝送ロッドにランダムに盛り込むように加工してもよい。
【０１７６】
（１２）　前述した実施形態においては、正円の光伝送ロッドにローレット掛けを施す実施の形態について説明したが、これに限らず、楕円形状の光伝送ロッドにローレット掛けを施してもよい（図２５等参照）。これにより、取付箇所により適した光を放射させることができる。言いかえると、放射させる光の輝度・光量を多くすべき取付箇所であるとき（たとえば、遊技機の中心に配置させるとき）は楕円の短軸と平行となるようにローレット掛けを施し（図２５（ａ）参照）、また、放射範囲を広くすべき取付箇所であるとき（たとえば、遊技機の上下左右に配置させるとき）は楕円の長軸に平行となるようにローレット掛けを施す（図２５（ｂ）参照）ようにしてもよい。前者は、ローレット掛けにより形成された加工面が広いため放射される光量が多くなり輝度が高くなる。後者は、加工面で反射した光がレンズ効果により広い範囲に放射される。
【０１７７】
（１３）　前述した実施形態においては、ローレット掛けは、光伝送ロッドの光伝送途中箇所の一方向の外周面に形成させているが、これに限らず、光伝送途中箇所の２外周面あるいは３外周面等、複数外周面にローレット掛けを施してもよい（図２６参照）。これにより、放射範囲は狭くなるが非加工外周面からより大量の光を集中放射させることができるため、より強い光を遊技者に向けて放射させることができる。なお、複数外周面にローレット掛けを施すときであっても、光伝送ロッドの長手方向に帯状に延びる複数の外周面にローレット掛けを施すため、一方向から光伝送ロッドを見たときに、加工外周面と非加工外周面が交互に錯綜することがない。
【０１７８】
（１４）　前述した実施形態において、切欠の開き角度θが広いほど、非加工外周面から放射される光量は比較的多くなり、切欠の開き角度θが狭いほど、非加工外周面から放射される光量は比較的少なくなることについて説明した。これを利用し、光伝送ロッドから放射される放射光量をほぼ一律にすることができる。すなわち、１本の光伝送ロッドにおいて発光源からの距離により放射光量の違いによるむらの発生を防止することができる。具体的には、発光源から比較的近い位置でのローレット掛けの切欠の開き角度θが狭くなるようにし（たとえば、６０°）、発光源から距離が離れるにしたがって切欠の開き角度θを徐々に広くなるようにすればよい（最終的にたとえば、１２０°）。また、ローレット掛けを施す間隔を、発光源から遠くなるにしたがって狭くするように設けることによっても、同様の効果を発生させることができる。前者は、発光源から比較的近い箇所の切欠に衝突した光のうち外部に放射される割合を低くし、発光源から遠くなるにしたがって、切欠に衝突した光のうち外部に放射される割合を高くすることによるものである。後者は、発光源から比較的近い箇所で切欠により外部に放射される機会を抑え、発光源から遠くなるにしたがって、放射される機会を多く発生させたことによる。
【０１７９】
（１５）　前述した実施形態においては、遊技機部材を構成する複数の円弧形状または半円状の光伝送ロッドは、それぞれの光伝送ロッドの端部と端部を近設させることにより、円状または環状となるように構成する例について説明したが、ここで、近設とはそれぞれの光伝送ロッドの端部際の外周面と他の光伝送ロッドの端部際の外周面とが離間し対向するように設けられることをいう。また、近設させることなく、それぞれの光伝送ロッドの端部際の外周面と他の光伝送ロッドの端部際の外周面とが離間することなく隣接するように対向させてもよい。これにより、複数の光伝送ロッド間の隙間を発生することが無いため、より連続的な回転光演出を遊技者に提供することができる。
【０１８０】
（１６）　今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【図１】発光源ＬＥＤと光伝送ロッドと連結管について説明するための図である。
【図２】光伝送ロッドにローレット掛けが施された状態を側面から説明するための図である。
【図３】光伝送ロッドにローレット掛けが施された状態を断面から説明するための図である。
【図４】ローレット掛けの施された光伝送ロッドを用いた遊技機部材の一例について説明するための図である。
【図５】ローレット掛けの施された光伝送ロッドを用いた遊技機部材の一例について説明するための側面図である。
【図６】光伝送ロッドの両端部に設けられている発光源へ通電するときのパルス幅を変化させ占有率の変化を説明するための図である。
【図７】光伝送ロッドの一端部にフルカラー発光源を設け、発光源へ通電するときのパルス幅を変化させつつ光の色を変化させ、占有率の変化を説明するための図である。
【図８】光伝送ロッドの両端部に設けられている発光源ＬＥＤへ通電するときの単位時間あたりのパルス幅を徐々に変化させ同一色の占有率の動きを説明するための図である。
【図９】ローレット掛けの施されれた半円形状の光伝送ロッドを用いて光演出を実行する遊技機部材の一例について説明するための図である。
【図１０】遊技機部材の半円形状の光伝送ロッドの両端部に設けられている発光源ＬＥＤへ通電するときのパルス幅を変化させ、光伝送ロッドを同一色の占める割合の変化を説明するための図である。
【図１１】パチンコ遊技機を正面から見た正面図である。
【図１２】パチンコ遊技機の遊技領域を正面から見た正面図である。
【図１３】パチンコ遊技機における回路構成の一例を示すブロック図である。
【図１４】第２実施形態におけるローレット掛けの施された渦巻き形状の光伝送ロッドを用いて光演出を実行する遊技機部材の一例について説明するための図である。
【図１５】第２実施形態における遊技機部材の渦巻き形状の光伝送ロッドの両端部に設けられている発光源ＬＥＤへ通電するときのパルス幅を変化させ、光伝送ロッドを同一色の占める割合の変化を説明するための図である。
【図１６】スロットマシンを正面から見た正面図である。
【図１７】変形例としての遊技機部材の半円形状の光伝送ロッドのうち所定占有率として５０パーセントを満たしたときに、光伝送ロッドの端部から光を供給する発光源ＬＥＤの発光色を切替える制御を行なう一例について説明するための図である。
【図１８】変形例としての遊技機部材の半円形状の光伝送ロッドのうち所定占有率として５０パーセントを満たしたときに、光伝送ロッドの端部から光を供給する発光源ＬＥＤの発光色を切替える制御を行なう他の一例について説明するための図である。
【図１９】変形例としてのローレット掛けの施された螺旋形状の光伝送ロッドを用いて光演出を実行する遊技機部材の一例を説明するための図である。
【図２０】変形例としての連結部材を説明するための図である。
【図２１】光伝送ロッドの両端部に設けられている発光源へ通電するときのサイクル数を変化させ占有率の変化を説明するための図である。
【図２２】光伝送ロッドの両端部に設けられている発光源へ通電するときの電圧を変化させ占有率の変化を説明するための図である。
【図２３】装飾部材に光伝送ロッドを複数埋めこんだ可変表示装置を説明するための図である。
【図２４】光伝送ロッドにローレット掛けが施された形状を側面から説明するための図である。
【図２５】楕円形状の光伝送ロッドにローレット掛けが施された状態を断面から説明するための図である。
【図２６】光伝送ロッドの複数外周面にローレット掛けが施された状態を断面から説明するための図である。
【符号の説明】
１，２１，２２，２３，６１，６２，７１，８１　光伝送ロッド、２　連結管、３　発光源ＬＥＤ、２０　遊技機部材、２５　連結部材、１０１　パチンコ遊技機、１２５　装飾ランプ、１２８，２７１　枠ランプ、１３１　遊技制御基板、１３５　ランプ制御基板、１７４　装飾部材ランプ、１８０　表示制御基板、１８１　回転ランプ、２０１　スロットマシン、２０４　リールユニット、２０４Ｌ，２０４Ｃ，２０４Ｒ　リール、２４１Ｌ，２４１Ｃ，２４１Ｒ　ストップボタン、２４２　スタートレバー、２４３　１枚ＢＥＴボタン、２４４　ＭＡＸＢＥＴボタン、２９１　演出ランプ。
【図１】
2004041362.tif 000003
【図２】
2004041362.tif 000004
【図３】
2004041362.tif 000005
【図４】
2004041362.tif 000006
【図５】
2004041362.tif 000007
【図６】
2004041362.tif 000008
【図７】
2004041362.tif 000009
【図８】
2004041362.tif 000010
【図９】
2004041362.tif 000011
【図１０】
2004041362.tif 000012
【図１１】
2004041362.tif 000013
【図１２】
2004041362.tif 000014
【図１３】
2004041362.tif 000015
【図１４】
2004041362.tif 000016
【図１５】
2004041362.tif 000017
【図１６】
2004041362.tif 000018
【図１７】
2004041362.tif 000019
【図１８】
2004041362.tif 000020
【図１９】
2004041362.tif 000021
【図２０】
2004041362.tif 000022
【図２１】
2004041362.tif 000023
【図２２】
2004041362.tif 000024
【図２３】
2004041362.tif 000025
【図２４】
2004041362.tif 000026
【図２５】
2004041362.tif 000027
【図２６】
2004041362.tif 000028